(57)【特許請求の範囲】
【請求項１】
前面に情報の画面表示を行なうための表示領域が形成されている表示手段と、
前記表示手段の表示領域で画面表示された情報を透視可能な操作面が当該表示領域に重ねて設けられ、当該操作面への接触により座標入力が行なわれる座標入力手段と、
前記座標入力手段の操作面に対して座標入力操作を行なうためのタッチペンであって、当該操作面上でのペン先端部の滑り度合を切換えるための切換機構を備えたタッチペンと、
前記タッチペンのペン先端部を前記座標入力手段の操作面に接触させる座標入力操作がなされたときに、前記表示手段の表示領域において、当該入力された座標位置に応じた位置に所定のオブジェクト画像を表示させるための制御手段と、
前記タッチペンのペン先端部の滑り度合が切換えられたときに、当該切換えられたタッチペンのペン先端部の滑り度合を通知するための通知手段とを備え、
前記制御手段は、
前記通知手段により通知されたタッチペンのペン先端部の滑り度合に応じて、前記表示手段の表示領域における前記オブジェクト画像の表示態様を変更するための表示態様変更手段を含み、
前記ペン先端部は、互いに滑り度合が異なる複数のペン先端領域が形成されたホイール状形状をなし、
前記切換機構は、
前記複数のペン先端領域のうちから前記座標入力手段の操作面に対して座標入力を行なうペン先端領域を択一的に選択するための手段を含むことを特徴とする表示装置。
【請求項２】
前記表示態様変更手段は、前記タッチペンのペン先端部の滑り度合の切換えに連動して前記オブジェクト画像の表示サイズを変更することを特徴とする請求項１に記載の表示装置。
【請求項３】
前記表示態様変更手段は、前記タッチペンのペン先端部の滑り度合の切換えに連動して前記オブジェクト画像の表示形状を変更することを特徴とする請求項１に記載の表示装置。
【請求項４】
前記表示態様変更手段は、前記タッチペンのペン先端部の滑り度合の切換えに連動して前記オブジェクト画像の表示濃度を変更することを特徴とする請求項１に記載の表示装置。
【請求項５】
前記表示態様変更手段は、前記タッチペンのペン先端部の滑り度合の切換えに連動して前記オブジェクト画像の表示色を変更することを特徴とする請求項１に記載の表示装置。
【請求項６】
前記表示態様変更手段によって変更される前記オブジェクト画像の表示色には、当該オブジェクト画像が表示される背景色と同じ色が含まれていることを特徴とする請求項５に記載の表示装置。
【発明の詳細な説明】
【技術分野】
【０００１】
本発明は、タッチペンを用いて座標入力操作が行なわれると、入力された座標位置に所定のオブジェクト画像が表示される、表示装置に関する。
【背景技術】
【０００２】
周知のように、タッチペンによりタッチパネルに座標を入力し、この入力された座標の軌跡を表示画面で表示することによって、電子黒板として利用される表示装置が、広く市場に出回っている。
【０００３】
かかる表示装置においては、タッチペンの接触によって座標入力されるタッチパネルは、ガラス等の滑りのよい部材を素材として作製されており、一般的に使用されている電子黒板とフェルトペンとの組合せと比較して、滑り易くてタッチペンでタッチパネルをなぞって連続して座標入力し難い（書き難い）場合がある。
【０００４】
このような事態に対処するため、例えば、特許文献１には、タッチパネルの表裏の各主面に、平面座標入力機構を備え、剛性及び表面粗さ等を互いに異ならせた感圧入力部を設ける、又はタッチペンのペン軸に対して互いに表面粗さを異ならせる等した複数のペン先端部を着脱自在に取り付け可能とすることによって、タッチペンを用いてタッチパネルをなぞって連続して座標入力するときの滑り度合（書き味）を異ならせたり、又は調整したりする、技術が開示されている。
【特許文献１】特開２００４−２２０５０６号公報
【発明の開示】
【発明が解決しようとする課題】
【０００５】
しかしながら、上記特許文献１記載の技術には、以下の問題点が指摘されている。
【０００６】
（１）タッチパネルの表裏の各主面上における平面座標入力機構を備えた感圧入力部の剛性及び表面粗さ等を互いに異ならせて、上記のタッチペンの書き味を異ならせるようにした場合には、多くの操作者が満足する書き味を提供することは、非常に困難であり、コスト的にも高くなってしまう。それは、利用者が書き易いと感じるタッチペンのペン先端部の滑り度合は、個々の操作者で異なるからである。言い換えれば、操作者の書き味に対する要求に合わせて上記感圧入力部の表面に加工を施すには、操作者が書き易いと感じるタッチペンのペン先端部の滑り度合に関して、綿密かつ多くのサンプリング調査等が必要と考えられ、この調査に基づいて当該感圧入力部の表面加工を実施するのは、技術的にもコスト的にもあまり現実的とは云えない。
【０００７】
（２）タッチペンのペン軸に対して互いに表面粗さを異ならせる等した複数のペン先端部を着脱自在に取り付け可能として、上記のタッチペンの書き味を調整するようにした場合にも、多くの操作者が満足する書き味を提供するには、互いに表面粗さの異なる多数のペン先端部を用意しておく必要があり、上記（１）の場合と同様に、やはり技術的にもコスト的にもあまり現実的ではない。
【０００８】
本発明は、上記技術的背景に鑑みなされたもので、タッチパネルの操作面に表面加工を施したり、又はタッチペンのペン先端部を交換したりすることなく、タッチペンを用いて座標入力操作を行なった際の操作者の操作感を向上し得る、表示装置の提供を目的とする。
【課題を解決するための手段】
【０００９】
上記目的を達成するための本発明に係る表示装置は、前面に情報の画面表示を行なうための表示領域が形成されている表示手段と、表示手段の表示領域で画面表示された情報を透視可能な操作面が当該表示領域に重ねて設けられ、当該操作面への接触により座標入力が行なわれる座標入力手段と、座標入力手段の操作面に対して座標入力操作を行なうためのタッチペンであって、当該操作面上でのペン先端部の滑り度合を切換えるための切換機構を備えたタッチペンと、タッチペンのペン先端部を座標入力手段の操作面に接触させる座標入力操作がなされたときに、表示手段の表示領域において、当該入力された座標位置に応じた位置に所定のオブジェクト画像を表示させるための制御手段と、タッチペンのペン先端部の滑り度合が切換えられたときに、当該切換えられたタッチペンのペン先端部の滑り度合を通知するための通知手段とを備え、制御手段は、通知手段により通知されたタッチペンのペン先端部の滑り度合に応じて、表示手段の表示領域におけるオブジェクト画像の表示態様を変更するための表示態様変更手段を含む。
【００１０】
上記構成によれば、タッチペンに、座標入力手段の操作面上でのペン先端部の滑り度合を切換えるための切換機構を備えているので、操作者の好みに応じてタッチペンのペン先端部の滑り度合を切換えて操作者の書き易い滑り度合に設定することができる。また、制御手段により、タッチペンのペン先端部を座標入力手段の操作面に接触させる座標入力操作がなされたときに、表示手段の表示領域において、入力座標位置に応じた位置にオブジェクト画像が表示されるが、タッチペンのペン先端部の滑り度合が切換えられた場合には、切換えられたタッチペンのペン先端部の滑り度合が通知手段を介して制御手段に通知される。そうすると、制御手段側では、表示態様変更手段により、通知されたタッチペンのペン先端部の滑り度合に応じて、表示手段の表示領域におけるオブジェクト画像の表示態様が変更される。このように、タッチペンのペン先端部の滑り度合とタッチペンによる座標入力操作を契機として表示されるオブジェクト画像の表示態様とを連動させることで、座標入力により表示されるオブジェクト画像と一致したタッチペンの操作感を操作者に与えることができる。
【００１１】
ある態様では、表示態様変更手段は、タッチペンのペン先端部の滑り度合の切換えに連動してオブジェクト画像の表示サイズを変更する。
【００１２】
また、他の態様では、表示態様変更手段は、タッチペンのペン先端部の滑り度合の切換えに連動してオブジェクト画像の表示形状を変更する。
【００１３】
さらに、他の態様では、表示態様変更手段は、タッチペンのペン先端部の滑り度合の切換えに連動してオブジェクト画像の表示濃度を変更する。
【００１４】
さらにまた、他の態様では、表示態様変更手段は、タッチペンのペン先端部の滑り度合の切換えに連動してオブジェクト画像の表示色を変更する。この態様においては、表示態様変更手段によって変更されるオブジェクト画像の表示色には、当該オブジェクト画像が表示される背景色と同じ色が含まれていることが好ましい。この場合、再度の座標入力により背景色と同じ色で既に座標入力した部分に上書きすると、既に座標入力により表示されたオブジェクト画像は背景色と同じ色により上書きされ消えるので、消しゴム機能として利用することができる。
【００１５】
上記表示装置において、タッチペンは、軸方向に沿って貫通孔が形成された筒形形状のペン軸を備え、ペン先端部は、球体形状をなす転がり先端と、ペン軸の先端面に設けられ、転がり先端と球面対偶をなし当該転がり先端を転動自在に保持する先端保持部材とから構成され、切換機構は、ペン軸の先端部内に嵌め込まれ、先端保持部材を介して転がり先端を押圧する先端押圧部材と、ペン軸の後端側から軸方向に沿って移動自在に挿入され、当該ペン軸に対して押込み操作がなされる押圧操作部材と、先端押圧部材と押圧操作部材との間に介装され、当該押圧操作部材を反押込み方向に付勢するための第１の付勢手段と、押圧操作部材のペン軸に対する押込み量を複数の段階に切換え保持するための押込み量保持手段とを含み、押圧操作部材の押込み量に応じて先端押圧部材の転がり先端に対する押圧力が変わり、これに伴って当該転がり先端の座標入力手段の操作面上での転がり度合が変更される。
【００１６】
上記構成によれば、第１の付勢手段の付勢力に抗して押圧操作部材を押込んで当該押圧操作部材の押込み量を所望の段階に切換え保持すると、先端押圧部材の転がり先端に対する押圧力は、押圧操作部材の押込み量によって変化し、これに伴って転がり先端の座標入力手段の操作面上での転がり度合が変更されるので、タッチペンのペン先端部の滑り度合の切換えは、押圧操作部材のペン軸に対する押込み操作という簡単な操作で行なうことができる。
【００１７】
具体的には、押込み量保持手段は、基端部がペン軸に対して軸線周りに回動自在に支持され、先端部に係合片が形成された操作レバーと、押圧操作部材の周面に所定の間隔を開けて凹設され、操作レバーの係合片が係合される複数の被係合溝と、操作レバーを押圧操作部材に向かって付勢するための第２の付勢手段とを含む。
【００１８】
上記構成によれば、押圧操作部材の押込み操作をしながら操作レバーを軸線周りに回動操作してその係合片を押圧操作部材側の被係合溝に係合させる、簡単な操作により、押圧操作部材の押込み量を所望の段階に保持させることができる。このとき、操作レバーは、第２の付勢手段の付勢力により押圧操作部材に向かって付勢されているので、係合片及び被係合溝の両者間の係合状態は確実なものとなる。
【００１９】
上記表示装置において、タッチペンは、押圧操作部材の押込み力を解除するための解除手段をさらに備えている。
【００２０】
具体的には、解除手段は、操作レバーの先端部において係合片とは反対側に形成された操作片を含み、操作片を操作して操作レバーを第２の付勢手段の付勢力に抗して軸線周りに回動させると、係合片が被係合溝から離間し、それによって押圧操作部材の押込み力が解除される。
【００２１】
上記構成によれば、操作レバーの操作片を指で押して操作レバーを第２の付勢手段の付勢力に抗する方向に軸線周りに回動させれば、係合片が被係合溝から離間して押圧操作部材の押込み力が解除される一方、押圧操作部材の押込み力を解除した後に操作片を離せば、操作レバーが第２の付勢手段の付勢力により押圧操作部材に向かって軸線周りに自動的に回動するので、押圧操作部材の押込み量の切換え保持操作は簡単な操作で済む。
【００２２】
上記表示装置において、押圧操作部材の周面上であって被係合溝の形成領域と重ならない領域に、被係合溝の形成間隔と同じ間隔を開けて被係合溝と同じ数の、押圧操作部材の押込み量を表示する指標が設けられ、これら指標は、押圧操作部材の押込み量が切換えられると、当該切換えられた押込み量に対応付けられた１つの指標が、ペン軸に開けられた窓を介して視認される。
【００２３】
上記構成によれば、押圧操作部材の押込み量を切換えると、この切換えた押込み量に対応付けられた１つの指標は、ペン軸の窓を通して視認することができるので、押圧操作部材の押込み量を容易に確認することができる。
【００２４】
また、上記表示装置において、タッチペンは、互いに滑り度合が異なる複数のペン先端部を備え、切換機構は、複数のペン先端部のうちから座標入力手段の操作面に対して座標入力を行なうペン先端部を択一的に選択するための手段を含む。
【００２５】
上記構成によれば、例えば、ペン先端部を、細いオブジェクト画像を描くときにはボールペンのような硬く滑りの良いペン先端部に切換え、太いオブジェクト画像を描くときにフェルトペンのようなやや柔らかく滑りの少ないペン先端部に切換え、オブジェクト画像を消すときには消しゴムのような最も柔らかく滑りの少ないペン先端部に切換えることができるので、表示オブジェクト画像及びタッチペンの操作感の両者の更なるマッチングを図ることが可能となる。
【００２６】
さらに、上記表示装置において、ペン先端部は、互いに滑り度合が異なる複数のペン先端領域が形成されたホイール状形状をなし、切換機構は、複数のペン先端領域のうちから座標入力手段の操作面に対して座標入力を行なうペン先端領域を択一的に選択するための手段を含む。
【００２７】
上記構成によれば、単一のペン先端部に滑り度合の異なる複数のペン先端領域が形成され、これらのペン先端領域から座標入力に用いるペン先端領域を任意に選択できるので、タッチペンとして複数のペン先端部材を備える必要が無くなる。その結果、ペン先端部の滑り度合を切換えるための切換機構を小型化できる。
【発明の効果】
【００２８】
本発明によると、タッチパネルの操作面に表面加工を施したり、又はタッチペンのペン先端部を交換したりすることなく、タッチペンを用いて座標入力操作を行なった際の操作者の操作感を向上し得る。
【発明を実施するための最良の形態】
【００２９】
以下、本発明の実施の形態について、添付図面に基づき詳細に説明する。なお、以下の説明及び本明細書に添付の図面では、同一機能部品については同一符号を付している。それらの名称及び機能についても同一である。したがって、それらについての詳細な説明は繰返さない。
【００３０】
[第１の実施の形態]
＜全体構成＞
図１は本発明の第１の実施の形態に係る表示装置１００の全体構成を示す正面図であって、プレゼンテーションを行なっている状態を示す。
【００３１】
図１を参照して、本実施の形態に係る表示装置１００は、プレゼンテーションを行なう際に利用される大型の表示装置であって、プレゼンテーション会場の床面１０２に設置される装置本体１０４と、プレゼンタ１０６によって使用されるタッチペン１０８とを含む。
【００３２】
＜装置本体１０４の構成＞
図２は表示装置１００の装置本体１０４の外観構成を示す斜視図である。
【００３３】
図２を参照して、装置本体１０４は、台座２００、大型ＬＣＤ（Ｌｉｑｕｉｄ  Ｃｒｙｓｔａｌ  Ｄｉｓｐｌａｙ）２０２、透明タッチパネル２０４、スキャナ２０６及びプリンタ２０８から構成されている。
【００３４】
台座２００は、床面１０２に接触する基台２１０と、この基台２１０及び大型ＬＣＤ２０２の両者の間を連結する左右一対の脚２１２とを備えている。基台２１０の底部には、装置本体１０４を移動させるための４つのキャスタ輪２１４が回転自在に取り付けられている。各脚２１２は、幅広の薄板部材であって、所定の間隔を隔てた状態で基台２１０の上面に直立している。
【００３５】
大型ＬＣＤ２０２は、横長の長方形形状をなしており、その前面に情報の画面表示を行なうための表示領域が形成されている。このＬＣＤ２０２の表示領域は、当該ＬＣＤ２０２の外郭形状と相似形状を有しており、その形成領域は、当該ＬＣＤ２０２の前面の大部分を占めている。
【００３６】
透明タッチパネル２０４は、大型ＬＣＤ２０２と同様に横長の長方形形状を有しており、当該ＬＣＤ２０２の表示領域（即ち、ＬＣＤ２０２の前面）に一体的に重ねて設けられている。したがって、本表示装置１００では、ＬＣＤ２０２の表示領域上の画面表示された情報等がタッチパネル２０４の構成要素の１つである透明ガラス等を素材として作製された透過部材を透過して表示される。このように、本表示装置１００は、タッチパネル一体型表示装置であるので、タッチパネル２０４がＬＣＤ２０２の表示領域上で画面表示された情報を透視可能な操作面として機能し、当該操作面としてのタッチパネル２０４に対するタッチペン１０８の接触によりその接触位置に対応した位置座標が入力される。
【００３７】
スキャナ２０６は、プレゼンテーション原稿等を読取る。このスキャナ２０６の前面には、上下一対の開口２１６，２１８が形成されている。スキャナ２０６では、上側の開口２１６から上記原稿が搬入されて下側の開口２１８から上記原稿が排出される。一方、プリンタ２０８は、本表示装置１００で表示された情報を印字出力する。
【００３８】
スキャナ２０６及びプリンタ２０８の両者は、基台２１０、左右一対の脚２１２及び大型ＬＣＤ２０２で区画される空間内に所定の間隔を開けて備えられている。具体的には、スキャナ２０６は、ＬＣＤ２０２の下面に接触した状態で左右一対の脚２１２に橋渡して取り付けられている。一方、プリンタ２０８は、左右一対の脚２１２と間隔を隔てて基台２１０の上面に載置されている。
【００３９】
＜透明タッチパネル２０４の構成＞
図３は透明タッチパネル２０４の構成を簡略化して示す正面図である。この図においては、透明タッチパネル２０４の長辺に沿う方向（横方向）をＸ軸方向とし、短辺に沿う方向（縦方向）をＹ軸方向としている。
【００４０】
図３を参照して、本実施の形態においては、透明タッチパネル２０４として、光学的に位置検出を行なうタッチパネルが適用されている。それゆえ、タッチパネル２０４では、その操作面としての上記の透過部材の４辺にそれぞれ関連付けてタッチペン１０８のタッチ位置３００を検出するためのフォトトランジスタアレイ３０２，３０４及びＬＥＤ（Ｌｉｇｈｔ  Ｅｍｉｔｔｉｎｇ  Ｄｉｏｄｅ）アレイ３０６，３０８が設けられている。
【００４１】
具体的には、タッチパネル２０４の操作面の上側の長辺（即ち、上辺）の内縁部には、Ｘ軸方向フォトトランジスタアレイ３０２が当該上辺に沿って配置されている一方、下側の長辺（即ち、下辺）の内縁部には、Ｘ軸方向ＬＥＤアレイ３０６が当該下辺に沿って配置されている。これにより、互いに対向する、Ｘ軸方向フォトトランジスタアレイ３０２の各フォトトランジスタとＸ軸方向ＬＥＤアレイ３０６の各ＬＥＤとの間でＸ軸方向に沿った光軸が形成されることになる。また、タッチパネル２０４の操作面の右側の短辺（即ち、右辺）の内縁部には、Ｙ軸方向フォトトランジスタアレイ３０４が当該右辺に沿って配置されている一方、左側の短辺（即ち、左辺）の内縁部には、Ｙ軸方向ＬＥＤアレイ３０８が配置されている。これにより、互いに対向する、Ｙ軸方向フォトトランジスタアレイ３０４の各フォトトランジスタとＹ軸方向ＬＥＤアレイ３０８の各ＬＥＤとの間でＹ軸方向に沿った光軸が形成されることになる。
【００４２】
Ｘ軸方向に関するフォトトランジスタアレイ３０２及びＬＥＤアレイ３０６では、その基板上にｍ個のフォトトランジスタ及びＬＥＤがそれぞれ搭載されている。他方、Ｙ軸方向に関するフォトトランジスタアレイ３０４及びＬＥＤアレイ３０８では、その基板上にｎ個のフォトトランジスタ及びＬＥＤがそれぞれ搭載されている。したがって、上記操作面上では、ｍ×ｎ個の光軸交差点が生じる。
【００４３】
このような構成の透明タッチパネル２０４において、プレゼンタ１０６がタッチペン１０８を透過部材（操作面）上に接触させると、この接触された位置３００を通過する、Ｘ軸方向及びＹ軸方向の各ＬＥＤアレイ３０６，３０８のＬＥＤからの照射光が当該タッチペン１０８により遮蔽され、これらＬＥＤに対向する、Ｘ軸方向及びＹ軸方向の各フォトトランジスタアレイ３０２，３０４のフォトトランジスタに到達しなくなる。これらＬＥＤの照射光が到達しなかったフォトトランジスタの座標の組合せが入力された座標位置として、図７に示すパーソナルコンピュータ（ＰＣ）５００に出力される。図３に示した例では、座標位置（Ｘｉ，Ｙｊ）が上記のタッチペン１０８が触れた位置（ペンタッチ位置）３００に相当する。
【００４４】
＜タッチペン１０８の構成＞
図４はタッチペン１０８の初期状態を示す断面図、図５はタッチペン１０８の押込み時の状態を示す断面図、図６はタッチペン１０８の押込み解除時の状態を示す断面図である。
【００４５】
図４〜図６を参照して、タッチペン１０８は、上述したように、透明タッチパネル２０４の操作面に対して座標入力操作を行なうためのペンであって、当該タッチパネル２０４の操作面上でのペン先端部４００の滑り度合を切換えるための切換機構４０２を備えている。
【００４６】
ペン先端部４００は、球体形状をなす転がり先端４０４と、この転がり先端４０４と球面対偶をなし当該転がり先端４０４を転動自在に保持する先端保持部材４０６とから構成されている。先端保持部材４０６は、ペン軸４０８の先端面に取り付けられている。このペン軸４０８は、軸方向に長い長手の部材であって、軸方向に沿って貫通孔が形成された中空円筒形状を有している。
【００４７】
切換機構４０２は、ペン軸４０８の先端部内に嵌め込まれ、先端保持部材４０６を介して転がり先端４０４を押圧する先端押圧部材４１０と、ペン軸４０８の後端側から軸方向に沿って移動自在に挿入され、当該ペン軸４０８に対して押込み操作がなされる押圧操作部材４１２と、先端押圧部材４１０と押圧操作部材４１２との間に介装され、押圧操作部材４１２を反押込み方向に付勢するための第１のばね４１４と、押圧操作部材４１２のペン軸４０８に対する押込み量を複数の段階（本実施の形態では６段階）に切換え保持するための押込み量保持部４１６とを含み、押圧操作部材４１２の押込み量に応じて先端押圧部材４１０の転がり先端４０４に対する押圧力が変わり、これに伴って転がり先端４０４の透明タッチパネル２０４の操作面上での転がり度合が変更されるように構成されている。
【００４８】
押込み量保持部４１６は、基端部がペン軸４０８に対して横軸４１８周りに回動自在に支持された操作レバー４２０を含む。この操作レバー４２０は、基部４２２と、基部４２２の先端部から押圧操作部材４１２側に突出した係合片４２４と、基部４２２の先端部から係合片４２４とは反対側に突出した操作片４２６とを備えたＴ字形状をなしている。係合片４２４及び操作片４２６の両者は、基部４２２の先端部に一体成形されている。本実施の形態では、操作片４２６の突出寸法を、係合片４２４の突出寸法よりも長く設定することによって、操作レバー４２０を指で操作し易く構成している。
【００４９】
また、押込み量保持部４１６は、押圧操作部材４１２の周面に等間隔を開けて凹設され、操作レバー４２０の係合片４２４が係合される６つの被係合溝４２８，４３０，４３２，４３４，４３６，４３８と、操作レバー４２０を押圧操作部材４１２に向かって付勢するための第２のばね４４０とをさらに含む。
【００５０】
本タッチペン１０８において、操作レバー４２０の操作片４２６を操作して操作レバー４２０を第２のばね４４０の付勢力に抗する方向に横軸４１８周りに回動させれば、係合片４２４が被係合溝４２８，４３０，４３２，４３４，４３６，４３８から離間して押圧操作部材４１２の押込み力が解除される。一方、押圧操作部材４１２の押込み力を解除した後に操作片４２６を離せば、操作レバー４２０が第２のばね４４０の付勢力により押圧操作部材４１２に向かって横軸４１８周りに自動的に回動し、それによって係合片４２４が被係合溝４２８，４３０，４３２，４３４，４３６，４３８に係合して押圧操作部材４１２の押込み量が切換え保持される。それゆえ、本実施の形態においては、操作レバー４２０の操作片４２６が押圧操作部材４１２の押込み力を解除するための解除手段として機能する。
【００５１】
また、本タッチペン１０８では、上述したように、第１のばね４１４の付勢力に抗して押圧操作部材４１２を押込んで当該押圧操作部材４１２の押込み量を所望の段階に切換え保持すると、先端押圧部材４１０の転がり先端４０４に対する押圧力は、押圧操作部材４１２の押込み量によって変化し、この変化に伴って転がり先端４０４の透明タッチパネル２０４の操作面上での転がり度合が変更される。
【００５２】
具体的には、図４に示す、操作レバー４２０の係合片４２４が押圧操作部材４１２の最下段の第１の被係合溝４２８と係合している初期状態を、押圧操作部材４１２の押込み量の第１の段階とすると、押圧操作部材４１２を第１のばね４１４の付勢力に抗して上記第１の段階よりも深く押込んで操作レバー４２０の係合片４２４を第１の被係合溝４２８の直上の第２の被係合溝４３０に係合させた状態では、押圧操作部材４１２の押込み量は第２の段階に設定され、この第２の段階においては、転がり先端４０４の転がり度合が上記第１の段階よりも低下する。
【００５３】
押圧操作部材４１２を第１のばね４１４の付勢力に抗して上記第２の段階よりも更に深く押込んで操作レバー４２０の係合片４２４を第２の被係合溝４３０の直上の第３の被係合溝４３２に係合させた状態では、押圧操作部材４１２の押込み量は第３の段階に設定され、この第３の段階においては、転がり先端４０４の転がり度合が上記第２の段階よりも低下する。
【００５４】
押圧操作部材４１２を第１のばね４１４の付勢力に抗して上記第３の段階よりも更に深く押し込んで操作レバー４２０の係合片４２４を第３の被係合溝４３２の直上の第４の被係合溝４３４に係合させた状態では、押圧操作部材４１２の押込み量は第４の段階に設定され、この第４の段階においては、転がり先端４０４の転がり度合は上記第３の段階よりも低下する。
【００５５】
押圧操作部材４１２を第１のばね４１４の付勢力に抗して上記第４の段階よりも更に深く押込んで操作レバー４２０の係合片４２４を第４の被係合溝４３４の直上の第５の被係合溝４３６に係合させた状態では、押圧操作部材４１２の押込み量は第５の段階に設定され、この第５の段階においては、転がり先端４０４の転がり度合が上記第４の段階よりも低下する。
【００５６】
押圧操作部材４１２を第１のばね４１４の付勢力に抗して上記第５の段階よりも更に深く押込んで操作レバー４２０の係合片４２４を最上段の第６の被係合溝４３８に係合させた状態では、押圧操作部材４１２の押込み量は第６の段階に設定され、この第６の段階においては、転がり先端４０４の転がり度合が上記第５の段階よりも低下する。
【００５７】
すなわち、本タッチペン１０８では、押圧操作部材４１２の押込み量の段階が深まるに従って、転がり先端４０４の転がり度合（ペン先端部４００の滑り度合）が段階的に順次低下する。
【００５８】
押圧操作部材４１２の周面上であって被係合溝４２８，４３０，４３２，４３４，４３６，４３８の形成領域の反対側の領域には、被係合溝４２８，４３０，４３２，４３４，４３６，４３８の形成間隔と同じ間隔を開けて被係合溝４２８，４３０，４３２，４３４，４３６，４３８と同じ数（即ち、６つ）の、押圧操作部材４１２の押込み量を表示する短冊形の指標４４２，４４４，４４６，４４８，４５０，４５２が貼着されている。最下段の第１の指標４４２は、第３の被係合溝４３２と第４の被係合溝４３４との間に配置されている。他方、押圧操作部材４１２の押込み状態が初期状態であって、ペン軸４０８の第１の指標４４２と対応する位置には、押圧操作部材４１２の押込み量の段階が切換えられると、当該切換えられた押込み量の段階に対応付けられた１つの指標を視認するための窓４５４が開けられている。
【００５９】
押圧操作部材４１２の押込み量が第１の段階に設定されている場合には、その旨を示す第１の指標４４２が窓４５４を通して視認される。押圧操作部材４１２の押込み量が第２の段階に設定されている場合には、その旨を示す第２の指標４４４が窓４５４を通して視認される。押圧操作部材４１２の押込み量が第３の段階に設定されている場合には、その旨を示す第３の指標４４６が窓４５４を通して視認される。押圧操作部材４１２の押込み量が第４の段階に設定されている場合には、その旨を示す第４の指標４４８が窓４５４通して視認される。押圧操作部材４１２の押込み量が第５の段階に設定されている場合には、その旨を示す第５の指標４５０が窓４５４を通して視認される。押圧操作部材４１２が第６の段階に設定されている場合には、その旨を示す第６の指標４５２が窓４５４を通して視認される。
【００６０】
さらに、本タッチペン１０８では、押圧操作部材４１２の押込み量の段階を検出するための押込み量検出機構４５６が備えられている。この押込み量検出機構４５６は、６つのマイクロスイッチ４５８，４６０，４６２，４６４，４６６，４６８から構成される。これらマイクロスイッチ４５８，４６０，４６２，４６４，４６６，４６８は、押圧操作部材４１２の周面に接触するとＯＦＦ状態からＯＮ状態に切換わるスイッチであって、ペン軸４０８の内壁であって操作レバー４２０の操作領域と反対側の第１のばね４１４の介装領域に埋め込まれている。
【００６１】
押圧操作部材４１２の押込み量が第１の段階に設定されている場合には、何れのマイクロスイッチ４５８，４６０，４６２，４６４，４６６，４６８にも押圧操作部材４１２の周面が接触しないので、全てのマイクロスイッチ４５８，４６０，４６２，４６４，４６６，４６８のＯＦＦ状態が維持される。
【００６２】
押圧操作部材４１２の押込み量が第２の段階に設定されている場合には、最上段の第１のマイクロスイッチ４５８に押圧操作部材４１２の周面が接触するので、このマイクロスイッチ４５８がＯＮしそれより下の第２〜第６のマイクロスイッチ４６０，４６２，４６４，４６６，４６８のＯＦＦ状態が維持される。
【００６３】
押圧操作部材４１２の押込み量が第３の段階に設定されている場合には、第１及び第２のマイクロスイッチ４５８，４６０に押圧操作部材４１２の周面が接触するので、これらのマイクロスイッチ４５８，４６０がオンしその下の第３〜第６のマイクロスイッチ４６２，４６４，４６６，４６８のＯＦＦ状態が維持される。
【００６４】
押圧操作部材４１２の押込み量が第４の段階に設定されている場合には、第１〜第３のマイクロスイッチ４５８，４６０，４６２に押圧操作部材４１２の周面が接触するので、これらのマイクロスイッチ４５８，４６０，４６２がＯＮしその下の第４〜第６のマイクロスイッチ４６４，４６６，４６８のＯＦＦ状態が維持される。
【００６５】
押圧操作部材４１２の押込み量が第５の段階に設定されている場合には、第１〜第４のマイクロスイッチ４５８，４６０，４６２，４６４に押圧操作部材４１２の周面が接触するので、これらのマイクロスイッチ４５８，４６０，４６２，４６４がＯＮしその下の第５及び第６のマイクロスイッチ４６６，４６８のＯＦＦ状態が維持される。
【００６６】
押圧操作部材４１２の押込み量が第６の段階に設定されている場合には、第１〜第５のマイクロスイッチ４５８，４６０，４６２，４６４，４６６に押圧操作部材４１２の周面が接触するので、これらのマイクロスイッチ４５８，４６０，４６２，４６４，４６６がＯＮし最下段の第６のマイクロスイッチ４６８のＯＦＦ状態が維持される。
【００６７】
このように、本押込み量検出機構４５６においては、ＯＦＦ状態からＯＮ状態に切換わったマイクロスイッチの数とＯＦＦ状態を維持しているマイクロスイッチの数との組合せを図７に示す制御デバイス５０６が判断することによって、押圧操作部材４１２の押込み量の段階が検出される。
【００６８】
＜ハードウェア構成＞
図７は表示装置１００のハードウェア構成を示すブロック図である。
【００６９】
図７を参照して、装置本体１０４は、大型ＬＣＤ２０２、透明タッチパネル２０４、スキャナ２０６及びプリンタ２０８に加えて、ＰＣ５００及び無線通信デバイス５０２をさらに含む。
【００７０】
ＰＣ５００は、表示装置１００全体の制御中枢を司る情報処理装置であって、何れも図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を含む。このＰＣ５００には、大型ＬＣＤ２０２、透明タッチパネル２０４、スキャナ２０６、プリンタ２０８及び無線通信デバイス５０２が接続されている。タッチパネル２０４からのタッチペン１０８による座標入力信号が入力されると、ＰＣ５００は、ＬＣＤ２０２の表示領域において、タッチペン１０８により入力された座標に対応する位置に所定のオブジェクト画像を表示させる。
【００７１】
ここに、「オブジェクト画像」とは、例えば、図１２に示すような点画像６００である。プレゼンタ１０６がタッチペン１０８で透明タッチパネル２０４の透過部材の表面（操作面）をなぞることにより、点画像のオブジェクト画像６００を連続的に表示させ、プレゼンタ１０６の所望する図形及び文字を描くことができる。なお、その他のオブジェクト画像６００としては、直線、円形、三角形及び四角形といった、予め定められた定形図形を挙げることができる。
【００７２】
上記のように、タッチペン１０８による透明タッチパネル２０４への座標入力操作を契機として大型ＬＣＤ２０２上にオブジェクト画像６００が表示されるので、ＰＣ５００には、オブジェクト画像サイズ記憶領域５０４が形成されている。このオブジェクト画像サイズ記憶領域５０４には、タッチペン１０８の押圧操作部材４１２の押込み量の段階に応じてオブジェクト画像６００の太さを変更させて表示するためのデータ（以下、単に「オブジェクト画像サイズ変更データ」という。）が格納されている。
【００７３】
他方、タッチペン１０８は、上記の押込み量検出機構４５６を構成する６つのマイクロスイッチ４５８，４６０，４６２，４６４，４６６，４６８に加えて、制御デバイス５０６及び無線通信デバイス５０８をさらに含む。
【００７４】
制御デバイス５０６は、タッチペン１０８の制御中枢を司るものであって、何れも図示しないＣＰＵ、ＲＯＭ及びＲＡＭ等を含むコンピュータからなる。この制御デバイス５０６には、マイクロスイッチ４５８，４６０，４６２，４６４，４６６，４６８及び無線通信デバイス５０８が接続されている。
【００７５】
装置本体１０４側の無線通信デバイス５０２及びタッチペン１０８側の無線通信デバイス５０８としては、共にＢｌｕｅｔｏｏｔｈ（登録商標。以下において同じ。）モジュールが採用されている。
【００７６】
制御デバイス５０６は、上述したように、ＯＦＦ状態からＯＮ状態に切換わったマイクロスイッチの数とＯＦＦ状態を維持しているマイクロスイッチの数との組合せによってタッチペン１０８の押圧操作部材４１２の押込み量の段階を判断・検出する機能を有している。この制御デバイス５０６によって検出されたタッチペン１０８の押圧操作部材４１２の押込み量の段階を示すデータは、タッチペン１０８側の無線通信デバイス５０８から装置本体１０４側の無線通信デバイス５０２に送信され、更に無線通信デバイス５０２からＰＣ５００に与えられる。
【００７７】
＜ソフトウェア構成＞
本実施の形態においては、タッチペン１０８のペン先端部４００の滑り度合の切換えに連動してオブジェクト画像６００の表示サイズを変更するようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【００７８】
図８は表示装置１００のメインルーチンのプログラム構造をフローチャート形式で示す図である。
【００７９】
図８を参照して、本表示装置１００では、まず、タッチペン１０８側の制御デバイス５０６がタッチペン１０８の押圧操作部材４１２の押込み量が何れの段階に設定されているかを判断する（ステップＳ１００、Ｓ１０２、Ｓ１０４、Ｓ１０６、Ｓ１０８及びＳ１１０）。
【００８０】
全てのマイクロスイッチ４５８，４６０，４６２，４６４，４６６，４６８がＯＦＦ状態を維持している場合には、制御デバイス５０６は、押圧操作部材４１２の押込み量が第１の段階に設定されていると判断し（ステップＳ１００においてＹＥＳ）、ペン先端部４００の滑り度合を示すデータとして滑り度合データ「１」を無線通信デバイス５０８及び無線通信デバイス５０２の両者間の無線通信により装置本体１０４側のＰＣ５００に送信する。
【００８１】
第１のマイクロスイッチ４５８がＯＦＦ状態からＯＮ状態に切換わり第２〜第６のマイクロスイッチ４６０，４６２，４６４，４６６，４６８がＯＦＦ状態を維持している場合には、制御デバイス５０６は、押圧操作部材４１２の押込み量が第２の段階に設定されていると判断し（ステップＳ１０２においてＹＥＳ）、ペン先端部４００の滑り度合を示すデータとして滑り度合データ「２」を無線通信デバイス５０８及び無線通信デバイス５０２の両者間の無線通信により装置本体１０４側のＰＣ５００に送信する。
【００８２】
第１及び第２のマイクロスイッチ４５８，４６０がＯＦＦ状態からＯＮ状態に切換わり第３〜第６のマイクロスイッチ４６２，４６４，４６６，４６８がＯＦＦ状態を維持している場合には、制御デバイス５０６は、押圧操作部材４１２の押込み量が第３の段階に設定されていると判断し（ステップＳ１０４においてＹＥＳ）、ペン先端部４００の滑り度合を示すデータ信号として滑り度合データ「３」を無線通信デバイス５０８及び無線通信デバイス５０２の両者間の無線通信により装置本体１０４側のＰＣ５００に送信する。
【００８３】
第１〜第３のマイクロスイッチ４５８，４６０，４６２がＯＦＦ状態からＯＮ状態に切換わり第４〜第６のマイクロスイッチ４６４，４６６，４６８がＯＦＦ状態を維持している場合には、制御デバイス５０６は、押圧操作部材４１２の押込み量が第４の段階に設定されていると判断し（ステップＳ１０６においてＹＥＳ）、ペン先端部４００の滑り度合を示すデータとして滑り度合データ「４」を無線通信デバイス５０８及び無線通信デバイス５０２の両者間の無線通信により装置本体１０４側のＰＣ５００に送信する。
【００８４】
第１〜第４のマイクロスイッチ４５８，４６０，４６２，４６４がＯＦＦ状態からＯＮ状態に切換わり第５及び第６のマイクロスイッチ４６６，４６８がＯＦＦ状態を維持している場合には、制御デバイス５０６は、押圧操作部材４１２の押込み量が第５の段階に設定されていると判断し（ステップＳ１０８においてＹＥＳ）、ペン先端部４００の滑り度合を示すデータとして滑り度合データ「５」を無線通信デバイス５０８及び無線通信デバイス５０２の両者間の無線通信により装置本体１０４側のＰＣ５００に送信する。
【００８５】
第１〜第５のマイクロスイッチ４５８，４６０，４６２，４６４，４６６がＯＦＦ状態からＯＮ状態に切換わり第６のマイクロスイッチ４６８がＯＦＦ状態を維持している場合には、制御デバイス５０６は、押圧操作部材４１２の押込み量が第６の段階に設定されていると判断し（ステップＳ１１０においてＹＥＳ）、ペン先端部４００の滑り度合を示すデータとして滑り度合「６」を無線通信デバイス５０８及び無線通信デバイス５０２の両者間の無線通信により装置本体１０４側のＰＣ５００に送信する。
【００８６】
他方、装置本体１０４側のＰＣ５００は、タッチペン１０８の押圧操作部材４１２の押込み量の段階を示す、即ちペン先端部４００の滑り度合を示す滑り度合データを受信するのを待つ（ステップＰ１００）。無線通信デバイス５０２を介して上記滑り度合データを受信すると、ＰＣ５００は、タッチペン１０８の押圧操作部材４１２の押込み量の段階に応じた（即ち、ペン先端部４００の滑り度合に応じた）、オブジェクト画像の表示処理を実行する（ステップＰ１０２）。
【００８７】
なお、本実施の形態では、タッチペン１０８のペン先端部４００の滑り度合の設定段階が装置本体１０４側で常時監視され、ペン先端部４００の滑り度合が切換えられるまでその滑り度合に応じたオブジェクト画像表示処理が実行され、ペン先端部４００の滑り度合が切換えられると、それまで実行されていたオブジェクト画像表示処理がリセットされ、改めて切換えられた滑り度合に応じたオブジェクト画像表示処理が実行される。
【００８８】
（オブジェクト画像表示処理）
図９〜図１１はサブルーチンとしてのオブジェクト画像表示処理を実現するためのプログラム構造をフローチャート形式で示す図である。
【００８９】
図９を参照して、本オブジェクト画像表示処理では、まず、ＰＣ５００は、受信した滑り度合データが「１」であるか否かを判断する（ステップＰ２００）。受信滑り度合データが「１」である場合には、ＰＣ５００は、この滑り度合データ「１」に基づいて、タッチペン１０８の押圧操作部材４１２の押込み量が第１の段階に設定されていると判断し、透明タッチパネル２０４の操作面に対してタッチペン１０８による座標入力操作がなされるのを待つ（ステップＰ２０２）。タッチペン１０８によるタッチパネル２０４への座標入力操作がなされると、ＰＣ５００は、大型ＬＣＤ２０２の表示領域において、タッチペン１０８により入力された座標に対応する位置にオブジェクト画像６００を表示させる。このとき、ＰＣ５００は、上記滑り度合データ「１」をパラメータとして、オブジェクト画像サイズ記憶領域５０４に格納されているオブジェクト画像サイズ変更データを参照し、この参照結果に基づいて、図１２（Ａ）に示すように、オブジェクト画像６００をその太さが最も小さい第１のサイズになるように表示する（ステップＰ２０４）。その後、ＰＣ５００は、本オブジェクト画像表示処理を終了させる。他方、受信滑り度合データが「１」でない場合には、ＰＣ５００は、制御をステップＰ２０６に進める。
【００９０】
制御がステップＰ２０６に進むと、ＰＣ５００は、受信した滑り度合データが「２」であるか否かを判断する。受信滑り度合データが「２」である場合には、ＰＣ５００は、この滑り度合データ「２」に基づいて、タッチペン１０８の押圧操作部材４１２の押込み量が第２の段階に設定されていると判断し、透明タッチパネル２０４の操作面に対してタッチペン１０８による座標入力操作がなされるのを待つ（ステップＰ２０８）。タッチペン１０８によるタッチパネル２０４への座標入力操作がなされると、ＰＣ５００は、上記滑り度合データ「２」をパラメータとして、オブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｂ）に示すように、オブジェクト画像６００をその太さが上記第１のサイズよりも太い第２のサイズになるように表示させる（ステップＰ２１０）。その後、ＰＣ５００は、本オブジェクト画像表示処理を終了させる。他方、受信滑り度合データが「２」でない場合には、ＰＣ５００は、制御を図１０に示すステップＰ２１２に進める。
【００９１】
図１０を参照して、制御がステップＰ２１２に進むと、ＰＣ５００は、受信した滑り度合データが「３」であるか否かを判断する。受信滑り度合データが「３」である場合には、ＰＣ５００は、この滑り度合データ「３」に基づいて、タッチペン１０８の押圧操作部材４１２の押込み量が第３の段階に設定されていると判断し、透明タッチパネル２０４の操作面に対してタッチペン１０８による座標入力操作がなされるのを待つ（ステップＰ２１４）。タッチペン１０８によるタッチパネル２０４への座標入力操作がなされると、ＰＣ５００は、上記滑り度合データ「３」をパラメータとして、オブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｃ）に示すように、オブジェクト画像６００をその太さが上記第２のサイズよりも太い第３のサイズになるように表示させる（ステップＰ２１６）。その後、ＰＣ５００は、本オブジェクト画像表示処理を終了させる。他方、受信滑り度合データが「３」でない場合には、ＰＣ５００は、制御をステップＰ２１８に進める。
【００９２】
制御がステップＰ２１８に進むと、ＰＣ５００は、受信した滑り度合データが「４」であるか否かを判断する。受信滑り度合データが「４」である場合には、ＰＣ５００は、この滑り度合データ「４」に基づいて、タッチペン１０８の押圧操作部材４１２の押込み量が第４の段階に設定されていると判断し、透明タッチパネル２０４の操作面に対してタッチペン１０８による座標入力操作がなされるのを待つ（ステップＰ２２０）。タッチペン１０８によるタッチパネル２０４への座標入力操作がなされると、ＰＣ５００は、上記滑り度合データ「４」をパラメータとして、オブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｄ）に示すように、オブジェクト画像６００をその太さが上記第３のサイズよりも太い第４のサイズになるように表示させる（ステップＰ２２２）。その後、ＰＣ５００は、本オブジェクト画像表示処理を終了させる。他方、受信滑り度合データが「４」でない場合には、ＰＣ５００は、制御を図１１に示すステップＰ２２４に進める。
【００９３】
図１１を参照して、制御がステップＰ２２４に進むと、ＰＣ５００は、受信した滑り度合データが「５」であるか否かを判断する。受信滑り度合データが「５」である場合には、ＰＣ５００は、この滑り度合データ「５」に基づいて、タッチペン１０８の押圧操作部材４１２の押込み量が第５の段階に設定されていると判断し、透明タッチパネル２０４の操作面に対してタッチペン１０８による座標入力操作がなされるのを待つ（ステップＰ２２６）。タッチペン１０８によるタッチパネル２０４への座標入力操作がなされると、ＰＣ５００は、上記滑り度合データ「５」をパラメータとして、オブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｅ）に示すように、オブジェクト画像６００をその太さが上記第４のサイズよりも太い第５のサイズになるように表示させる（ステップＰ２２８）。その後、ＰＣ５００は、本オブジェクト画像表示処理を終了させる。他方、受信滑り度合データが「５」でない場合には、ＰＣ５００は、制御をステップＰ２３０に進める。
【００９４】
制御がステップＰ２３０に進むと、ＰＣ５００は、受信した滑り度合データが「６」であるか否かを判断する。受信滑り度合データが「６」である場合には、ＰＣ５００は、この滑り度合データ「６」に基づいて、タッチペン１０８の押圧操作部材４１２の押込み量が第６の段階に設定されていると判断し、透明タッチパネル２０４の操作面に対してタッチペン１０８による座標入力操作がなされるのを待つ（ステップＰ２３２）。タッチペン１０８によるタッチパネル２０４への座標入力操作がなされると、ＰＣ５００は、上記滑り度合データ「６」をパラメータとして、オブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｆ）に示すように、オブジェクト画像６００をその太さが上記第５のサイズよりも太い第６のサイズになるように表示させる（ステップＰ２３４）。その後、ＰＣ５００は、本オブジェクト画像表示処理を終了させる。他方、受信滑り度合データが「６」でない場合には、ＰＣ５００は、制御を再び図９に示すステップＰ２００に戻す。
【００９５】
＜動作＞
本実施の形態では、タッチペン１０８のペン先端部４００を透明タッチパネル２０４の操作面に接触させる座標入力操作がなされると、大型ＬＣＤ２０２の表示領域において、入力座標位置に応じた位置にオブジェクト画像６００が表示される。その一方で、タッチペン１０８の押圧操作部材４１２の押込み量の段階が深く（換言すると、押込み量が大きく）なるに従って、そのペン先端部４００の滑り度合が低下する。この切換えられたタッチペン１０８のペン先端部４００の滑り度合は、装置本体１０４側のＰＣ５００に通知される。そうすると、ＰＣ５００は、通知されたタッチペン１０８のペン先端部４００の滑り度合に応じて、ＬＣＤ２０２の表示領域上で表示すべきオブジェクト画像６００のサイズ（太さ）を変更して当該オブジェクト画像６００を表示させる。
【００９６】
＜作用・効果＞
本実施の形態によると、以下の作用・効果を奏する。
【００９７】
（１）タッチペン１０８に、透明タッチパネル２０４の操作面上でのペン先端部４００の滑り度合を切換えるための切換機構４０２を備えているので、プレゼンタ１０６の好みに応じてタッチペン１０８のペン先端部の滑り度合を切換えてプレゼンタ１０６の書き易い滑り度合に設定することができる。また、タッチペン１０８のペン先端部４００をタッチパネル２０４の操作面に接触させる座標入力操作がなされたときに、大型ＬＣＤ２０２の表示領域において、入力座標位置に応じた位置にオブジェクト画像６００が表示されるが、タッチペン１０８のペン先端部４００の滑り度合が切換えられた場合には、切換えられたタッチペン１０８のペン先端部４００の滑り度合が装置本体１０４に通知される。そうすると、装置本体１０４側では、通知されたタッチペン１０８のペン先端部４００の滑り度合に応じて、ＬＣＤ２０２の表示領域におけるオブジェクト画像６００の表示サイズが変更される。このように、タッチペン１０８のペン先端部４００の滑り度合とタッチペン１０８による座標入力操作を契機として表示されるオブジェクト画像６００の表示サイズとを連動させることで、座標入力により表示されるオブジェクト画像６００と一致したタッチペン１０８の操作感をプレゼンタ１０６に与えることができる。特に、本実施の形態では、タッチペン１０８のペン先端部４００の滑り度合を低下させると太いオブジェクト画像６００が入力されるように設定されているので、太いオブジェクト画像６００が書込まれているときには、プレゼンタ１０６は、あたかもペン先の太いペンを使用しているかのような操作感を味わうことになる。したがって、タッチパネル２０４の操作面に表面加工を施したり、又はタッチペン１０８のペン先端部４００を交換したりしなくても、タッチペン１０８を用いて座標入力操作を行なった際のプレゼンタ１０６の操作感を向上させることができる。
【００９８】
（２）タッチペン１０８の切換機構４０２を、第１のばね４１４の付勢力に抗して押圧操作部材４１２を押込んで当該押圧操作部材４１２の押込み量を所望の段階に切換え保持すると、先端押圧部材４１０の転がり先端４０４に対する押圧力が押圧操作部材４１２の押込み量によって変化し、これに伴って転がり先端４０４の透明タッチパネル２０４の操作面上での転がり度合が変更されるように構成しているので、タッチペン１０８のペン先端部４００の滑り度合の切換えは、押圧操作部材４１２のペン軸４０８に対する押込み操作という簡単な操作で行なうことができる。
【００９９】
（３）上記の押込み量の保持に関しては、押圧操作部材４１２の押込み操作をしながら操作レバー４２０を横軸４１８周りに回動操作してその係合片４２４を押圧操作部材４１２側の被係合溝４２８，４３０，４３２，４３４，４３６，４３８に係合させる、簡単な操作により、押圧操作部材４１２の押込み量を所望の段階に保持させることができる。このとき、操作レバー４２０は、第２のばね４４０の付勢力により押圧操作部材４１２に向かって付勢されているので、係合片４２４及び被係合溝４２８，４３０，４３２，４３４，４３６，４３８の両者間の係合状態は確実なものとなる。
【０１００】
（４）操作レバー４２０の操作片４２６を指で押して操作レバー４２０を第２のばね４４０の付勢力に抗する方向に横軸４１８周りに回動させれば、係合片４２４が被係合溝４２８，４３０，４３２，４３４，４３６，４３８から離間して押圧操作部材４１２の押込み力が解除される一方、押圧操作部材４１２の押込み力を解除した後に操作片４２６を離せば、操作レバー４２０が第２のばね４４０の付勢力により押圧操作部材４１２に向かって横軸４１８周りに自動的に回動するので、押圧操作部材４１２の押込み量の切換え保持操作は簡単な操作で済む。
【０１０１】
（５）押圧操作部材４１２の押込み量を表示する指標として６つの指標４４２，４４４，４４６，４４８，４５０，４５２が設けられているが、押圧操作部材４１２の押込み量が切換えられると、この切換えられた押込み量に対応付けられた１つの指標がペン軸４０８の窓４５４を通して視認することができるので、押圧操作部材４１２の押込み量を容易に確認することができる。
【０１０２】
[第２の実施の形態]
本実施の形態の特徴は、タッチペン１０８のペン先端部４００の滑り度合に応じて、オブジェクト画像６００の表示形状が変更される点にあり、その他の構成は第１の実施の形態と同様である。
【０１０３】
＜ハードウェア構成＞
図１３は本発明の第２の実施の形態に係る表示装置１００のハードウェア構成を示すブロック図である。
【０１０４】
図１３を参照して、本実施の形態に係る表示装置１００全体の制御中枢を司る、装置本体１０４側のＰＣ５００には、オブジェクト画像形状記憶領域７００が形成されている。このオブジェクト画像形状記憶領域７００には、タッチペン１０８の押圧操作部材４１２の押込み量の段階に応じてオブジェクト画像６００の形状を変更させて表示するためのデータ（以下、単に「オブジェクト画像形状変更データ」という。）が格納されている。
【０１０５】
＜ソフトウェア構成＞
本実施の形態においては、タッチペン１０８のペン先端部４００の滑り度合の切換えに連動してオブジェクト画像６００の表示形状を変更するようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０１０６】
なお、本実施の形態に係る表示装置１００のメインルーチンのプログラム構造は、第１の実施の形態と同様であるので、その説明を省略する。
【０１０７】
図１４〜図１６は表示装置１００のサブルーチンとしてのオブジェクト画像表示処理を実現するためのプログラム構造をフローチャート形式で示す図である。
【０１０８】
図１４を参照して、本オブジェクト画像表示処理では、まず、ＰＣ５００は、受信した滑り度合データが「１」である場合には、この滑り度合データ「１」に基づいて、タッチペン１０８の押圧操作部材４１２の押込み量が第１の段階に設定されていると判断し、透明タッチパネル２０４の操作面に対してタッチペン１０８による座標入力操作がなされるのを待つ（ステップＰ４００及びＰ４０２）。タッチペン１０８によるタッチパネル２０４への座標入力操作がなされると、ＰＣ５００は、大型ＬＣＤ２０２の表示領域において、タッチペン１０８により入力された座標に対応する位置にオブジェクト画像６００を表示させる。このとき、ＰＣ５００は、上記滑り度合データ「１」をパラメータとして、オブジェクト画像形状記憶領域７００に格納されているオブジェクト画像形状変更データを参照し、この参照結果に基づいて、図１７（Ａ）に示すように、オブジェクト画像６００を第１の形状である円形となるように表示する（ステップＰ４０４）。その後、ＰＣ５００は、本オブジェクト画像表示処理を終了させる。他方、受信滑り度合データが「１」でない場合には、ＰＣ５００は、制御をステップＰ４０６及びＰ４０８に進める。
【０１０９】
制御がステップＰ４０６及びＰ４０８に進むと、ＰＣ５００は、受信した滑り度合データが「２」であるである場合には、この滑り度合データ「２」に基づいて、タッチペン１０８の押圧操作部材４１２の押込み量が第２の段階に設定されていると判断し、透明タッチパネル２０４の操作面に対してタッチペン１０８による座標入力操作がなされるのを待つ。タッチペン１０８によるタッチパネル２０４への座標入力操作がなされると、ＰＣ５００は、上記滑り度合データ「２」をパラメータとして、オブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｂ）に示すように、オブジェクト画像６００を第２の形状である長方形となるように表示させる（ステップＰ４１０）。その後、ＰＣ５００は、本オブジェクト画像表示処理を終了させる。他方、受信滑り度合データが「２」でない場合には、ＰＣ５００は、制御を図１５に示すステップＰ４１２及びＰ４１４に進める。
【０１１０】
図１５を参照して、制御がステップＰ４１２及びＰ４１４に進むと、ＰＣ５００は、受信した滑り度合データが「３」である場合には、この滑り度合データ「３」に基づいて、タッチペン１０８の押圧操作部材４１２の押込み量が第３の段階に設定されていると判断し、透明タッチパネル２０４の操作面に対してタッチペン１０８による座標入力操作がなされるのを待つ。タッチペン１０８によるタッチパネル２０４への座標入力操作がなされると、ＰＣ５００は、上記滑り度合データ「３」をパラメータとして、オブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｃ）に示すように、オブジェクト画像６００を第３の形状である星形となるように表示させる（ステップＰ４１６）。その後、ＰＣ５００は、本オブジェクト画像表示処理を終了させる。他方、受信滑り度合データが「３」でない場合には、ＰＣ５００は、制御をステップＰ４１８及びＰ４２０に進める。
【０１１１】
制御がステップＰ４１８及びＰ４２０に進むと、ＰＣ５００は、受信した滑り度合データが「４」である場合には、この滑り度合データ「４」に基づいて、タッチペン１０８の押圧操作部材４１２の押込み量が第４の段階に設定されていると判断し、透明タッチパネル２０４の操作面に対してタッチペン１０８による座標入力操作がなされるのを待つ。タッチペン１０８によるタッチパネル２０４への座標入力操作がなされると、ＰＣ５００は、上記滑り度合データ「４」をパラメータとして、オブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｄ）に示すように、オブジェクト画像６００を第４の形状である正方形となるように表示させる（ステップＰ４２２）。その後、ＰＣ５００は、本オブジェクト画像表示処理を終了させる。他方、受信滑り度合データが「４」でない場合には、ＰＣ５００は、制御を図１６に示すステップＰ４２４及びＰ４２６に進める。
【０１１２】
図１６を参照して、制御がステップＰ４２４及びＰ４２６に進むと、ＰＣ５００は、受信した滑り度合データが「５」である場合には、この滑り度合データ「５」に基づいて、タッチペン１０８の押圧操作部材４１２の押込み量が第５の段階に設定されていると判断し、透明タッチパネル２０４の操作面に対してタッチペン１０８による座標入力操作がなされるのを待つ。タッチペン１０８によるタッチパネル２０４への座標入力操作がなされると、ＰＣ５００は、上記滑り度合データ「５」をパラメータとして、オブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｅ）に示すように、オブジェクト画像６００を第５の形状である三角形となるように表示させる（ステップＰ４２８）。その後、ＰＣ５００は、本オブジェクト画像表示処理を終了させる。他方、受信滑り度合データが「５」でない場合には、ＰＣ５００は、制御をステップＰ４３０及びＰ４３２に進める。
【０１１３】
制御がステップＰ４３０及びＰ４３２に進むと、ＰＣ５００は、受信した滑り度合データが「６」である場合には、この滑り度合データ「６」に基づいて、タッチペン１０８の押圧操作部材４１２の押込み量が第６の段階に設定されていると判断し、透明タッチパネル２０４の操作面に対してタッチペン１０８による座標入力操作がなされるのを待つ。タッチペン１０８によるタッチパネル２０４への座標入力操作がなされると、ＰＣ５００は、上記滑り度合データ「６」をパラメータとして、オブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｆ）に示すように、オブジェクト画像６００を第６の形状である菱形となるように表示させる（ステップＰ４３４）。その後、ＰＣ５００は、本オブジェクト画像表示処理を終了させる。他方、受信滑り度合データが「６」でない場合には、ＰＣ５００は、制御を再び図１４に示すステップＰ４００に戻す。
【０１１４】
＜動作＞
本実施の形態では、タッチペン１０８のペン先端部４００を透明タッチパネル２０４の操作面に接触させる座標入力操作がなされると、大型ＬＣＤ２０２の表示領域において、入力座標位置に応じた位置にオブジェクト画像６００が表示される。その一方で、タッチペン１０８の押圧操作部材４１２の押込み量の段階が深くなるに従って、そのペン先端部４００の滑り度合が低下する。この切換えられたタッチペン１０８のペン先端部４００の滑り度合は、装置本体１０４側のＰＣ５００に通知される。そうすると、ＰＣ５００は、通知されたタッチペン１０８のペン先端部４００の滑り度合に応じて、ＬＣＤ２０２の表示領域上で表示すべきオブジェクト画像６００の形状を変更して当該オブジェクト画像６００を表示させる。
【０１１５】
＜作用・効果＞
本実施の形態によると、第１の実施の形態の（２）〜（５）と同様の作用・効果を奏することに加えて、以下の作用・効果を奏する。
【０１１６】
タッチペン１０８のペン先端部４００をタッチパネル２０４の操作面に接触させる座標入力操作がなされたときに、大型ＬＣＤ２０２の表示領域において、入力座標位置に応じた位置にオブジェクト画像６００が表示されるが、タッチペン１０８のペン先端部４００の滑り度合が切換えられた場合には、切換えられたタッチペン１０８のペン先端部４００の滑り度合が装置本体１０４に通知される。そうすると、装置本体１０４側では、通知されたタッチペン１０８のペン先端部４００の滑り度合に応じて、ＬＣＤ２０２の表示領域におけるオブジェクト画像６００の表示形状が変更される。このように、タッチペン１０８のペン先端部４００の滑り度合とタッチペン１０８による座標入力操作を契機として表示されるオブジェクト画像６００の表示形状とを連動させることで、座標入力により表示されるオブジェクト画像６００と一致したタッチペン１０８の操作感をプレゼンタ１０６に与えることができる。したがって、タッチパネル２０４の操作面に表面加工を施したり、又はタッチペン１０８のペン先端部４００を交換したりしなくても、タッチペン１０８を用いて座標入力操作を行なった際のプレゼンタ１０６の操作感を向上させることができる。
【０１１７】
[第３の実施の形態]
本実施の形態の特徴は、タッチペン１０８のペン先端部４００の滑り度合に応じて、オブジェクト画像６００の表示濃度が変更される点にあり、その他の構成は第１の実施の形態と同様である。
【０１１８】
＜ハードウェア構成＞
図１８は本発明の第３の実施の形態に係る表示装置１００のハードウェア構成を示すブロック図である。
【０１１９】
図１８を参照して、本実施の形態に係る表示装置１００全体の制御中枢を司る、装置本体１０４側のＰＣ５００には、オブジェクト画像濃度記憶領域８００が形成されている。このオブジェクト画像濃度記憶領域８００には、タッチペン１０８の押圧操作部材４１２の押込み量の段階に応じてオブジェクト画像６００の濃度を変更させて表示するためのデータ（以下、単に「オブジェクト画像濃度変更データ」という。）が格納されている。
【０１２０】
＜ソフトウェア構成＞
本実施の形態においては、タッチペン１０８のペン先端部４００の滑り度合の切換えに連動してオブジェクト画像６００の表示濃度を変更するようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０１２１】
なお、本実施の形態に係る表示装置１００のメインルーチンのプログラム構造は、第１の実施の形態と同様であるので、その説明を省略する。
【０１２２】
図１９〜図２１は表示装置１００のサブルーチンとしてのオブジェクト画像表示処理を実現するためのプログラム構造をフローチャート形式で示す図である。
【０１２３】
図１９を参照して、本オブジェクト画像表示処理では、まず、ＰＣ５００は、受信した滑り度合データが「１」である場合には、この滑り度合データ「１」に基づいて、タッチペン１０８の押圧操作部材４１２の押込み量が第１の段階に設定されていると判断して、透明タッチパネル２０４の操作面に対してタッチペン１０８による座標入力操作がなされるのを待ち、座標入力操作がなされると、上記滑り度合データ「１」をパラメータとして、オブジェクト画像濃度記憶領域８００に格納されているオブジェクト画像濃度変更データを参照し、この参照結果に基づいて、大型ＬＣＤ２０２の表示領域において、タッチペン１０８により入力された座標に対応する位置に、図２２（Ａ）に示すように、オブジェクト画像６００を最も明るい第１の濃度Ｄ０で以って表示する（ステップＰ６００、Ｐ６０２及びＰ６０４）。その後、ＰＣ５００は、本オブジェクト画像表示処理を終了させる。他方、受信滑り度合データが「１」でない場合には、ＰＣ５００は、制御をステップＰ６０６、Ｐ６０８及びＰ６１０に進める。
【０１２４】
制御がステップＰ６０６、Ｐ６０８及びＰ６１０に進むと、ＰＣ５００は、受信した滑り度合データが「２」である場合には、この滑り度合データ「２」に基づいて、タッチペン１０８の押圧操作部材４１２の押込み量が第２の段階に設定されていると判断して、透明タッチパネル２０４の操作面に対してタッチペン１０８による座標入力操作がなされるのを待ち、座標入力操作がなされると、上記滑り度合データ「２」をパラメータとして、オブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｂ）に示すように、オブジェクト画像６００を上記第１の濃度Ｄ０より暗い第２の濃度Ｄ１を以って表示させる。その後、ＰＣ５００は、本オブジェクト画像表示処理を終了させる。他方、受信滑り度合データが「２」でない場合には、ＰＣ５００は、制御を図２０に示すステップＰ６１２、Ｐ６１４及びＰ６１６に進める。
【０１２５】
図２０を参照して、制御がステップＰ６１２、Ｐ６１４及びＰ６１６に進むと、ＰＣ５００は、受信した滑り度合データが「３」である場合には、この滑り度合データ「３」に基づいて、タッチペン１０８の押圧操作部材４１２の押込み量が第３の段階に設定されていると判断して、透明タッチパネル２０４の操作面に対してタッチペン１０８による座標入力操作がなされるのを待ち、座標入力操作がなされると、上記滑り度合データ「３」をパラメータとして、オブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｃ）に示すように、オブジェクト画像６００を上記第２の濃度Ｄ１よりも暗い第３の濃度Ｄ２を以って表示させる。その後、ＰＣ５００は、本オブジェクト画像表示処理を終了させる。他方、受信滑り度合データが「３」でない場合には、ＰＣ５００は、制御をステップＰ６１８、Ｐ６２０及びＰ６２２に進める。
【０１２６】
制御がステップＰ６１８、Ｐ６２０及びＰ６２２に進むと、ＰＣ５００は、受信した滑り度合データが「４」である場合には、この滑り度合データ「４」に基づいて、タッチペン１０８の押圧操作部材４１２の押込み量が第４の段階に設定されていると判断して、透明タッチパネル２０４の操作面に対してタッチペン１０８による座標入力操作がなされるのを待ち、座標入力操作がなされると、上記滑り度合データ「４」をパラメータとして、オブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｄ）に示すように、オブジェクト画像６００を上記第３の濃度Ｄ２よりも暗い第４の濃度Ｄ３を以って表示させる。その後、ＰＣ５００は、本オブジェクト画像表示処理を終了させる。他方、受信滑り度合データが「４」でない場合には、ＰＣ５００は、制御を図２１に示すステップＰ６２４、Ｐ６２６及びＰ６２８に進める。
【０１２７】
図２１を参照して、制御がステップＰ６２４、Ｐ６２６及びＰ６２８に進むと、ＰＣ５００は、受信した滑り度合データが「５」である場合には、この滑り度合データ「５」に基づいて、タッチペン１０８の押圧操作部材４１２の押込み量が第５の段階に設定されていると判断して、透明タッチパネル２０４の操作面に対してタッチペン１０８による座標入力操作がなされるのを待ち、座標入力操作がなされると、上記滑り度合データ「５」をパラメータとして、オブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｅ）に示すように、オブジェクト画像６００を上記第４の濃度Ｄ３よりも暗い第５の濃度Ｄ４を以って表示させる。その後、ＰＣ５００は、本オブジェクト画像表示処理を終了させる。他方、受信滑り度合データが「５」でない場合には、ＰＣ５００は、制御をステップＰ６３０、Ｐ６３２及びＰ６３４に進める。
【０１２８】
制御がステップＰ６３０、Ｐ６３２及びＰ６３４に進むと、ＰＣ５００は、受信した滑り度合データが「６」である場合には、この滑り度合データ「６」に基づいて、タッチペン１０８の押圧操作部材４１２の押込み量が第６の段階に設定されていると判断して、透明タッチパネル２０４の操作面に対してタッチペン１０８による座標入力操作がなされるのを待ち、座標入力操作がなされると、上記滑り度合データ「６」をパラメータとして、オブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｆ）に示すように、オブジェクト画像６００を最も暗い第６の濃度Ｄ５を以って表示させる。その後、ＰＣ５００は、本オブジェクト画像表示処理を終了させる。他方、受信滑り度合データが「６」でない場合には、ＰＣ５００は、制御を再び図１９に示すステップＰ６００に戻す。
【０１２９】
＜動作＞
本実施の形態では、タッチペン１０８のペン先端部４００を透明タッチパネル２０４の操作面に接触させる座標入力操作がなされると、大型ＬＣＤ２０２の表示領域において、入力座標位置に応じた位置にオブジェクト画像６００が表示される。その一方で、タッチペン１０８の押圧操作部材４１２の押込み量の段階が深くなるに従って、そのペン先端部４００の滑り度合が低下する。この切換えられたタッチペン１０８のペン先端部４００の滑り度合は、装置本体１０４側のＰＣ５００に通知される。そうすると、ＰＣ５００は、通知されたタッチペン１０８のペン先端部４００の滑り度合に応じて、ＬＣＤ２０２の表示領域上で表示すべきオブジェクト画像６００の濃度を変更して当該オブジェクト画像６００を表示させる。
【０１３０】
＜作用・効果＞
本実施の形態によると、第１の実施の形態の（２）〜（５）と同様の作用・効果を奏することに加えて、以下の作用・効果を奏する。
【０１３１】
タッチペン１０８のペン先端部４００をタッチパネル２０４の操作面に接触させる座標入力操作がなされたときに、大型ＬＣＤ２０２の表示領域において、入力座標位置に応じた位置にオブジェクト画像６００が表示されるが、タッチペン１０８のペン先端部４００の滑り度合が切換えられた場合には、切換えられたタッチペン１０８のペン先端部４００の滑り度合が装置本体１０４に通知される。そうすると、装置本体１０４側では、通知されたタッチペン１０８のペン先端部４００の滑り度合に応じて、ＬＣＤ２０２の表示領域におけるオブジェクト画像６００の表示濃度が変更される。このように、タッチペン１０８のペン先端部４００の滑り度合とタッチペン１０８による座標入力操作を契機として表示されるオブジェクト画像６００の表示濃度とを連動させることで、座標入力により表示されるオブジェクト画像６００と一致したタッチペン１０８の操作感をプレゼンタ１０６に与えることができる。したがって、タッチパネル２０４の操作面に表面加工を施したり、又はタッチペン１０８のペン先端部４００を交換したりしなくても、タッチペン１０８を用いて座標入力操作を行なった際のプレゼンタ１０６の操作感を向上させることができる。
【０１３２】
[第４の実施の形態]
本実施の形態の特徴は、タッチペン１０８のペン先端部４００の滑り度合に応じて、オブジェクト画像６００の表示色が変更される点にあり、その他の構成は第１の実施の形態と同様である。
【０１３３】
＜ハードウェア構成＞
図２３は本発明の第４の実施の形態に係る表示装置１００のハードウェア構成を示すブロック図である。
【０１３４】
図２３を参照して、本実施の形態に係る表示装置１００全体の制御中枢を司る、装置本体１０４側のＰＣ５００には、オブジェクト画像色記憶領域９００が形成されている。このオブジェクト画像色記憶領域９００には、タッチペン１０８の押圧操作部材４１２の押込み量の段階に応じてオブジェクト画像６００の色を変更させて表示するためのデータ（以下、単に「オブジェクト画像色変更データ」という。）が格納されている。
【０１３５】
＜ソフトウェア構成＞
本実施の形態においては、タッチペン１０８のペン先端部４００の滑り度合の切換えに連動してオブジェクト画像６００の表示色を変更するようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０１３６】
なお、本実施の形態に係る表示装置１００のメインルーチンのプログラム構造は、第１の実施の形態と同様であるので、その説明を省略する。
【０１３７】
図２４〜図２６は表示装置１００のサブルーチンとしてのオブジェクト画像表示処理を実現するためのプログラム構造をフローチャート形式で示す図である。
【０１３８】
図２４を参照して、本オブジェクト画像表示処理では、まず、ＰＣ５００は、受信した滑り度合データが「１」である場合には、この滑り度合データ「１」に基づいて、タッチペン１０８の押圧操作部材４１２の押込み量が第１の段階に設定されていると判断し、透明タッチパネル２０４の操作面に対してタッチペン１０８による座標入力操作がなされると、大型ＬＣＤ２０２の表示領域において、タッチペン１０８により入力された座標に対応する位置にオブジェクト画像６００を表示させる。このとき、ＰＣ５００は、上記滑り度合データ「１」をパラメータとして、オブジェクト画像色記憶領域９００に格納されているオブジェクト画像色変更データを参照し、この参照結果に基づいて、図２７（Ａ）に示すように、オブジェクト画像６００を第１の色である黒色になるように表示する（ステップＰ８００、Ｐ８０２及びＰ８０４）。その後、ＰＣ５００は、本オブジェクト画像表示処理を終了させる。他方、受信滑り度合データが「１」でない場合には、ＰＣ５００は、制御をステップＰ８０６、Ｐ８０８及びＰ８１０に進める。
【０１３９】
制御がステップＰ８０６、Ｐ８０８及びＰ８１０に進むと、ＰＣ５００は、受信した滑り度合データが「２」である場合には、この滑り度合データ「２」に基づいて、タッチペン１０８の押圧操作部材４１２の押込み量が第２の段階に設定されていると判断し、透明タッチパネル２０４の操作面に対してタッチペン１０８による座標入力操作がなされると、上記滑り度合データ「２」をパラメータとして、オブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｂ）に示すように、オブジェクト画像６００を第２の色である赤色になるように表示させる。その後、ＰＣ５００は、本オブジェクト画像表示処理を終了させる。他方、受信滑り度合データが「２」でない場合には、ＰＣ５００は、制御を図２５に示すステップＰ８１２、Ｐ８１４及びＰ８１６に進める。
【０１４０】
図２５を参照して、制御がステップＰ８１２、Ｐ８１４及びＰ８１６に進むと、ＰＣ５００は、受信した滑り度合データが「３」である場合には、この滑り度合データ「３」に基づいて、タッチペン１０８の押圧操作部材４１２の押込み量が第３の段階に設定されていると判断し、透明タッチパネル２０４の操作面に対してタッチペン１０８による座標入力操作がなされると、上記滑り度合データ「３」をパラメータとして、オブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｃ）に示すように、オブジェクト画像６００を第３の色である青色になるように表示させる。その後、ＰＣ５００は、本オブジェクト画像表示処理を終了させる。他方、受信滑り度合データが「３」でない場合には、ＰＣ５００は、制御をステップＰ８１８、Ｐ８２０及びＰ８２２に進める。
【０１４１】
制御がステップＰ８１８、Ｐ８２０及びＰ８２２に進むと、ＰＣ５００は、受信した滑り度合データが「４」である場合には、この滑り度合データ「４」に基づいて、タッチペン１０８の押圧操作部材４１２の押込み量が第４の段階に設定されていると判断し、透明タッチパネル２０４の操作面に対してタッチペン１０８による座標入力操作がなされると、上記滑り度合データ「４」をパラメータとして、オブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｄ）に示すように、オブジェクト画像６００を背景色と同じ色の第４の色である白色になるように表示させる。その後、ＰＣ５００は、本オブジェクト画像表示処理を終了させる。他方、受信滑り度合データが「４」でない場合には、ＰＣ５００は、制御を図２６に示すステップＰ８２４、Ｐ８２６及びＰ８２８に進める。
【０１４２】
図２６を参照して、制御がステップＰ８２４、Ｐ８２６及びＰ８２８に進むと、ＰＣ５００は、受信した滑り度合データが「５」である場合には、この滑り度合データ「５」に基づいて、タッチペン１０８の押圧操作部材４１２の押込み量が第５の段階に設定されていると判断し、透明タッチパネル２０４の操作面に対してタッチペン１０８による座標入力操作がなされると、上記滑り度合データ「５」をパラメータとして、オブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｅ）に示すように、オブジェクト画像６００を第５の色である黄色になるように表示させる。その後、ＰＣ５００は、本オブジェクト画像表示処理を終了させる。他方、受信滑り度合データが「５」でない場合には、ＰＣ５００は、制御をステップＰ８３０、Ｐ８３２及びＰ８３４に進める。
【０１４３】
制御がステップＰ８３０、Ｐ８３２及びＰ８３４に進むと、ＰＣ５００は、受信した滑り度合データが「６」である場合には、この滑り度合データ「６」に基づいて、タッチペン１０８の押圧操作部材４１２の押込み量が第６の段階に設定されていると判断し、透明タッチパネル２０４の操作面に対してタッチペン１０８による座標入力操作がなされると、上記滑り度合データ「６」をパラメータとして、オブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｆ）に示すように、オブジェクト画像６００を第６の色である緑色になるように表示させる。その後、ＰＣ５００は、本オブジェクト画像表示処理を終了させる。他方、受信滑り度合データが「６」でない場合には、ＰＣ５００は、制御を再び図２４に示すステップＰ８００に戻す。
【０１４４】
＜動作＞
本実施の形態では、タッチペン１０８のペン先端部４００を透明タッチパネル２０４の操作面に接触させる座標入力操作がなされると、大型ＬＣＤ２０２の表示領域において、入力座標位置に応じた位置にオブジェクト画像が表示される。その一方で、タッチペン１０８の押圧操作部材４１２の押込み量の段階が深くなるに従って、そのペン先端部４００の滑り度合が低下する。この切換えられたタッチペン１０８のペン先端部４００の滑り度合は、装置本体１０４側のＰＣ５００に通知される。そうすると、ＰＣ５００は、通知されたタッチペン１０８のペン先端部４００の滑り度合に応じて、ＬＣＤ２０２の表示領域上で表示すべきオブジェクト画像６００の色を変更して当該オブジェクト画像６００を表示させる。
【０１４５】
＜作用・効果＞
本実施の形態によると、第１の実施の形態の（２）〜（５）と同様の作用・効果を奏することに加えて、以下の作用・効果を奏する。
【０１４６】
（１）タッチペン１０８のペン先端部４００をタッチパネル２０４の操作面に接触させる座標入力操作がなされたときに、大型ＬＣＤ２０２の表示領域において、入力座標位置に応じた位置にオブジェクト画像６００が表示されるが、タッチペン１０８のペン先端部４００の滑り度合が切換えられた場合には、切換えられたタッチペン１０８のペン先端部４００の滑り度合が装置本体１０４に通知される。そうすると、装置本体１０４側では、通知されたタッチペン１０８のペン先端部４００の滑り度合に応じて、ＬＣＤ２０２の表示領域におけるオブジェクト画像６００の表示濃度が変更される。このように、タッチペン１０８のペン先端部４００の滑り度合とタッチペン１０８による座標入力操作を契機として表示されるオブジェクト画像６００の表示色とを連動させることで、座標入力により表示されるオブジェクト画像６００と一致したタッチペン１０８の操作感をプレゼンタ１０６に与えることができる。したがって、タッチパネル２０４の操作面に表面加工を施したり、又はタッチペン１０８のペン先端部４００を交換したりしなくても、タッチペン１０８を用いて座標入力操作を行なった際のプレゼンタ１０６の操作感を向上させることができる。
【０１４７】
（２）タッチペン１０８のペン先端部４００の滑り度合によって変更されるオブジェクト画像６００の表示色に、当該オブジェクト画像６００が表示される背景色と同じ色（白色）を含んでおり、再度の座標入力により背景色と同じ色で既に座標入力した部分に上書きすると、既に座標入力により表示されたオブジェクト画像６００は背景色と同じ色により上書きされ消えるので、消しゴム機能として利用することができる。
【０１４８】
[第５の実施の形態]
本実施の形態では、オブジェクト画像６００の表示態様変更モードとして、表示サイズ変更モード、表示形状変更モード、表示濃度変更モード及び表示色変更モードの４つのモードを切換え設定可能であり、切換え設定された表示態様変更モード及びタッチペン１０８のペン先端部４００の滑り度合に応じて、オブジェクト画像６００の表示態様が変更される点にあり、その他の構成は第１の実施の形態と同様である。
【０１４９】
＜タッチペン１０８の構成＞
図２８は本発明の第５の実施の形態に係る表示装置１００に適用されるタッチペン１０８の外観構成を示しており、同図（Ａ）は平面図、同図（Ｂ）は正面図である。また、図２９は図２８（Ａ）のＺ１―Ｚ１線に沿う断面図、図３０は図２８（Ｂ）のＺ２−Ｚ２線に沿う断面図である。
【０１５０】
図２８〜図３０を参照して、タッチペン１０８の押圧操作部材４１２の後端部には、上記のオブジェクト画像６００の表示態様変更モードを表示サイズ変更モード、表示形状変更モード、表示濃度変更モード及び表示色変更モードの何れか１つのモードに切換え設定するためのダイヤルスイッチ１０００が備えられている。
【０１５１】
このダイヤルスイッチ１０００は、押圧操作部材４１２の後端部に回転自在に嵌め込まれた、つまみ１００２と、押圧操作部材４１２の後端部の周面の全周にわたって形成された凹溝１００４内に嵌め込まれた４つのマイクロスイッチ１００６，１００８，１０１０，１０１２と、つまみ１００２の内壁から凹溝１００４に向かって突設され、各マイクロスイッチ１００６，１００８，１０１０，１０１２をＯＮさせるための接触子１０１４とを含む。
【０１５２】
凹溝１００４は、押圧操作部材４１２の中心と同心の周溝である。この凹溝１００４内において、マイクロスイッチ１００６，１００８，１０１０，１０１２は、互いに等間隔を開けた状態で設けられている。操作レバー４２０の位置を基準として、表示サイズ変更モードに設定するためのマイクロスイッチ（以下、単に「サイズ変更モード設定スイッチ」という。）１００６、表示形状変更モードに設定するためのマイクロスイッチ（以下、単に「形状変更モード設定スイッチ」と称することもある。）１００８、表示濃度変更モードに設定するためのマイクロスイッチ（以下、単に「濃度変更モード設定スイッチ」と称することもある。）１０１０、及び表示色変更モードに設定するためのマイクロスイッチ（以下、単に「色変更モード設定スイッチ」と称することもある。）１０１２が時計周りにこの順で配置されている。
【０１５３】
つまみ１００２の上面には、内部の接触子１０１４の位置を示す三角形の指標１０１６が貼着されている。他方、押圧操作部材４１２の後端面には、各マイクロスイッチ１００６，１００８，１０１０，１０１２の位置を示す短冊形の４つの指標１０１８，１０２０，１０２２，１０２４が貼着されている。
【０１５４】
本ダイヤルスイッチ１０００においては、つまみ１００２を回してその指標１０１６を押圧操作部材４１２側の表示サイズ変更モード設定用指標１０１８に合わせると、接触子１０１４がサイズ変更モード設定スイッチ１００６に接触し当該スイッチ１００６がＯＦＦ状態からＯＮ状態に切換わる。つまみ１００２を回してその指標１０１６を押圧操作部材４１２側の表示形状変更モード設定用指標１０２０に合わせると、接触子１０１４が形状変更モード設定スイッチ１００８に接触し当該スイッチ１００８がＯＦＦ状態からＯＮ状態に切換わる。つまみ１００２を回してその指標１０１６を押圧操作部材４１２側の表示濃度変更モード設定用指標１０２２に合わせると、接触子１０１４が濃度変更モード設定スイッチ１０１０に接触し当該スイッチ１０１０がＯＦＦ状態からＯＮ状態に切換わる。つまみ１００２を回してその指標１０１６を押圧操作部材４１２側の表示色変更モード設定用指標１０２４に合わせると、接触子１０１４が色変更モード設定スイッチ１０１２に接触し当該スイッチ１０１２がＯＦＦ状態からＯＮ状態に切換わる。
【０１５５】
＜ハードウェア構成＞
図３１は表示装置１００のハードウェア構成を示すブロック図である。
【０１５６】
図３１を参照して、装置本体１０４側のＰＣ５００には、オブジェクト画像サイズ変更データが格納されているオブジェクト画像サイズ記憶領域５０４、オブジェクト画像形状変更データが格納されているオブジェクト画像形状記憶領域７００、オブジェクト画像濃度変更データが記格納されているオブジェクト画像濃度記憶領域８００、及びオブジェクト画像色変更データが記憶されているオブジェクト画像色記憶領域９００が形成されている。
【０１５７】
他方、タッチペン１０８側の制御デバイス５０６には、押込み量検出機構４５６を構成するマイクロスイッチ４５８，４６０，４６２，４６４，４６６，４６８、無線通信デバイス５０２に加えて、上記のダイヤルスイッチ１０００を構成するオブジェクト画像６００の表示態様変更モード設定用マイクロスイッチ１００６，１００８，１０１０，１０１２が接続されている。
【０１５８】
＜ソフトウェア構成＞
本実施の形態においては、切換え設定された表示態様変更モード及びタッチペン１０８のペン先端部４００の滑り度合に応じて、オブジェクト画像６００の表示態様が変更されるようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０１５９】
図３２〜図３５は表示装置１００のプログラム構造をフローチャート形式で示す図である。
【０１６０】
図３２を参照して、本表示装置１００では、まず、タッチペン１０８側の制御デバイス５０６は、オブジェクト画像表示態様変更モードがオブジェクト画像表示サイズ変更モードに設定されたか否かを判断する（ステップＳ５００）。サイズ変更モード設定スイッチ１００６がＯＦＦ状態からＯＮ状態に切換えられサイズ変更モードに設定されたと判断した場合には、制御デバイス５０６は、制御をステップＳ５０２及びＳ５０４に進める。他方、サイズ変更モードに設定されていないと判断した場合には、制御デバイス５０６は、制御を図３３に示すステップＳ５２０に進める。
【０１６１】
制御がステップＳ５０２及びＳ５０４に進むと、制御デバイス５０６は、サイズ変更モード設定変数Ｍ１に「１」を代入し、これを記憶する。このとき、制御デバイス５０６は、サイズ変更モード設定信号を無線通信デバイス５０８及び無線通信デバイス５０２の両者間の無線通信により装置本体１０４側のＰＣ５００に送信する。なお、上記変数Ｍ１は、他のモードに変更されると「１」から「０」にトグルされる。その後、制御はステップＳ５０６、Ｓ５０８、Ｓ５１０、Ｓ５１２、Ｓ５１４及びＳ５１６に進む。
【０１６２】
ステップＳ５０６、Ｓ５０８、Ｓ５１０、Ｓ５１２、Ｓ５１４及びＳ５１６においては、制御デバイス５０６により、タッチペン１０８の押圧操作部材４１２の押込み量が何れの段階に設定されているか否かが判断される。
【０１６３】
全てのマイクロスイッチ４５８，４６０，４６２，４６４，４６６，４６８がＯＦＦ状態を維持している場合には、制御デバイス５０６は、押圧操作部材４１２の押込み量が第１の段階に設定されていると判断し（ステップＳ５０６においてＹＥＳ）、滑り度合データ「１＿Ｍ１」を無線通信デバイス５０８及び無線通信デバイス５０２の両者間の無線通信により装置本体１０４側のＰＣ５００に送信する。
【０１６４】
第１のマイクロスイッチ４５８がＯＦＦ状態からＯＮ状態に切換わり他のマイクロスイッチ４６０，４６２，４６４，４６６，４６８がＯＦＦ状態を維持している場合には、制御デバイス５０６は、押圧操作部材４１２の押込み量が第２の段階に設定されていると判断し（ステップＳ５０８においてＹＥＳ）、滑り度合データ「２＿Ｍ１」を無線通信デバイス５０８及び無線通信デバイス５０２の両者間の無線通信により装置本体１０４側のＰＣ５００に送信する。
【０１６５】
第１及び第２のマイクロスイッチ４５８，４６０がＯＦＦ状態からＯＮ状態に切換わり他のマイクロスイッチ４６２，４６４，４６６，４６８がＯＦＦ状態を維持している場合には、制御デバイス５０６は、押圧操作部材４１２の押込み量が第３の段階に設定されていると判断し（ステップＳ５１０においてＹＥＳ）、滑り度合データ「３＿Ｍ１」を無線通信デバイス５０８及び無線通信デバイス５０２の両者間の無線通信により装置本体１０４側のＰＣ５００に送信する。
【０１６６】
第１〜第３のマイクロスイッチ４５８，４６０，４６２がＯＦＦ状態からＯＮ状態に切換わり他のマイクロスイッチ４６４，４６６，４６８がＯＦＦ状態を維持している場合には、制御デバイス５０６は、押圧操作部材４１２の押込み量が第４の段階に設定されていると判断し（ステップＳ５１２においてＹＥＳ）、滑り度合データ「４＿Ｍ１」を無線通信デバイス５０８及び無線通信デバイス５０２の両者間の無線通信により装置本体１０４側のＰＣ５００に送信する。
【０１６７】
第１〜第４のマイクロスイッチ４５８，４６０，４６２，４６４がＯＦＦ状態からＯＮ状態に切換わり他のマイクロスイッチ４６６，４６８がＯＦＦ状態を維持している場合には、制御デバイス５０６は、押圧操作部材４１２の押込み量が第５の段階に設定されていると判断し（ステップＳ５１４においてＹＥＳ）、滑り度合データ「５＿Ｍ１」を無線通信デバイス５０８及び無線通信デバイス５０２の両者間の無線通信により装置本体１０４側のＰＣ５００に送信する。
【０１６８】
第１〜第５のマイクロスイッチ４５８，４６０，４６２，４６４，４６６がＯＦＦ状態からＯＮ状態に切換わり第６のマイクロスイッチ４６８がＯＦＦ状態を維持している場合には、制御デバイス５０６は、押圧操作部材４１２の押込み量が第６の段階に設定されていると判断し（ステップＳ５１６においてＹＥＳ）、滑り度合データ「６＿Ｍ１」を無線通信デバイス５０８及び無線通信デバイス５０２の両者間の無線通信により装置本体１０４側のＰＣ５００に送信する。
【０１６９】
他方、装置本体１０４側のＰＣ５００は、無線通信デバイス５０２を介してサイズ変更モード設定信号を受信したか否かを判別する（ステップＰ９００）。サイズ変更モード設定信号を受信した場合には、ＰＣ５００は、ルックアップポインタをオブジェクト画像サイズ記憶領域５０４に設定する。その後、制御はステップＰ９０４及び９０６に進む。これに対し、サイズ変更モード設定信号を受信しない場合には、ＰＣ５００は、制御を図３３に示すステップＰ９１０に進める。
【０１７０】
制御がステップＰ９０４及び９０６に進むと、ＰＣ５００は、上記滑り度合データを受信したときに、タッチペン１０８の押圧操作部材４１２の押込み量の段階（ペン先端部４００の滑り度合）に応じた、第１のオブジェクト画像表示処理を実行する。この第１のオブジェクト画像表示処理については後述する。
【０１７１】
図３３を参照して、制御がステップＳ５２０に進むと、タッチペン１０８側の制御デバイス５０６は、オブジェクト画像表示態様変更モードがオブジェクト画像表示形状変更モードに設定されたか否かを判断する。形状変更モード設定スイッチ１００８がＯＦＦ状態からＯＮ状態に切換えられ形状変更モードに設定されたと判断した場合には、制御デバイス５０６は、制御をステップＳ５２２及びＳ５２４に進める。他方、形状変更モードに設定されていないと判断した場合には、制御デバイス５０６は、制御を図３４に示すステップＳ５４０に進める。
【０１７２】
制御がステップＳ５２２及びＳ５２４に進むと、制御デバイス５０６は、形状変更モード設定変数Ｍ２に「１」を代入し、これを記憶する。このとき、制御デバイス５０６は、形状変更モード設定信号を無線通信デバイス５０８及び無線通信デバイス５０２の両者間の無線通信により装置本体１０４側のＰＣ５００に送信する。なお、上記変数Ｍ２は、他のモードに変更されると「１」から「０」にトグルされる。その後、制御はステップＳ５２６、Ｓ５２８、Ｓ５３０、Ｓ５３２、Ｓ５３４及びＳ５３６に進む。
【０１７３】
ステップＳ５２６、Ｓ５２８、Ｓ５３０、Ｓ５３２、Ｓ５３４及びＳ５３６においては、制御デバイス５０６により、タッチペン１０８の押圧操作部材４１２の押込み量が何れの段階に設定されているか否かが判断される。
【０１７４】
全てのマイクロスイッチ４５８，４６０，４６２，４６４，４６６，４６８がＯＦＦ状態を維持している場合には、制御デバイス５０６は、押圧操作部材４１２の押込み量が第１の段階に設定されていると判断し（ステップＳ５２６においてＹＥＳ）、滑り度合データ「１＿Ｍ２」を無線通信デバイス５０８及び無線通信デバイス５０２の両者間の無線通信により装置本体１０４側のＰＣ５００に送信する。
【０１７５】
第１のマイクロスイッチ４５８がＯＦＦ状態からＯＮ状態に切換わり他のマイクロスイッチ４６０，４６２，４６４，４６６，４６８がＯＦＦ状態を維持している場合には、制御デバイス５０６は、押圧操作部材４１２の押込み量が第２の段階に設定されていると判断し（ステップＳ５２８においてＹＥＳ）、滑り度合データ「２＿Ｍ２」を無線通信デバイス５０８及び無線通信デバイス５０２の両者間の無線通信により装置本体１０４側のＰＣ５００に送信する。
【０１７６】
第１及び第２のマイクロスイッチ４５８，４６０がＯＦＦ状態からＯＮ状態に切換わり他のマイクロスイッチ４６２，４６４，４６６，４６８がＯＦＦ状態を維持している場合には、制御デバイス５０６は、押圧操作部材４１２の押込み量が第３の段階に設定されていると判断し（ステップＳ５３０においてＹＥＳ）、滑り度合データ「３＿Ｍ２」を無線通信デバイス５０８及び無線通信デバイス５０２の両者間の無線通信により装置本体１０４側のＰＣ５００に送信する。
【０１７７】
第１〜第３のマイクロスイッチ４５８，４６０，４６２がＯＦＦ状態からＯＮ状態に切換わり他のマイクロスイッチ４６４，４６６，４６８がＯＦＦ状態を維持している場合には、制御デバイス５０６は、押圧操作部材４１２の押込み量が第４の段階に設定されていると判断し（ステップＳ５３２においてＹＥＳ）、滑り度合データ「４＿Ｍ２」を無線通信デバイス５０８及び無線通信デバイス５０２の両者間の無線通信により装置本体１０４側のＰＣ５００に送信する。
【０１７８】
第１〜第４のマイクロスイッチ４５８，４６０，４６２，４６４がＯＦＦ状態からＯＮ状態に切換わり他のマイクロスイッチ４６６，４６８がＯＦＦ状態を維持している場合には、制御デバイス５０６は、押圧操作部材４１２の押込み量が第５の段階に設定されていると判断し（ステップＳ５３４においてＹＥＳ）、滑り度合データ「５＿Ｍ２」を無線通信デバイス５０８及び無線通信デバイス５０２の両者間の無線通信により装置本体１０４側のＰＣ５００に送信する。
【０１７９】
第１〜第５のマイクロスイッチ４５８，４６０，４６２，４６４，４６６がＯＦＦ状態からＯＮ状態に切換わり第６のマイクロスイッチ４６８がＯＦＦ状態を維持している場合には、制御デバイス５０６は、押圧操作部材４１２の押込み量が第６の段階に設定されていると判断し（ステップＳ５３６においてＹＥＳ）、滑り度合データ「６＿Ｍ２」を無線通信デバイス５０８及び無線通信デバイス５０２の両者間の無線通信により装置本体１０４側のＰＣ５００に送信する。
【０１８０】
他方、制御がステップＰ９１０に進むと、装置本体１０４側のＰＣ５００は、無線通信デバイス５０２を介して形状変更モード設定信号を受信したか否かを判別する。形状変更モード設定信号を受信した場合には、ＰＣ５００は、ルックアップポインタをオブジェクト画像形状記憶領域７００に設定する。その後、制御はステップＰ９１４及び９１６に進む。これに対し、形状変更モード設定信号を受信しない場合には、ＰＣ５００は、制御を図３４に示すステップＰ９２０に進める。
【０１８１】
制御がステップＰ９１４及び９１６に進むと、ＰＣ５００は、上記滑り度合データを受信したときに、タッチペン１０８の押圧操作部材４１２の押込み量の段階に応じた、第２のオブジェクト画像表示処理を実行する。この第２のオブジェクト画像表示処理については後述する。
【０１８２】
図３４を参照して、制御がステップＳ５４０に進むと、タッチペン１０８側の制御デバイス５０６は、オブジェクト画像表示態様変更モードがオブジェクト画像表示濃度変更モードに設定されたか否かを判断する。濃度変更モード設定スイッチ１０１０がＯＦＦ状態からＯＮ状態に切換えられ濃度変更モードに設定されたと判断した場合には、制御デバイス５０６は、制御をステップＳ５４２及びＳ５４４に進める。他方、濃度変更モードに設定されていないと判断した場合には、制御デバイス５０６は、制御を図３５に示すステップＳ５６０に進める。
【０１８３】
制御がステップＳ５４２及びＳ５４４に進むと、制御デバイス５０６は、濃度変更モード設定変数Ｍ３に「１」を代入し、これを記憶する。このとき、制御デバイス５０６は、濃度変更モード設定信号を無線通信デバイス５０８及び無線通信デバイス５０２の両者間の無線通信により装置本体１０４側のＰＣ５００に送信する。なお、上記変数Ｍ３は、他のモードに変更されると「１」から「０」にトグルされる。その後、制御はステップＳ５４６、Ｓ５４８、Ｓ５４０、Ｓ５５２、Ｓ５５４及びＳ５５６に進む。
【０１８４】
ステップＳ５４６、Ｓ５４８、Ｓ５５０、Ｓ５５２、Ｓ５５４及びＳ５５６においては、制御デバイス５０６により、タッチペン１０８の押圧操作部材４１２の押込み量が何れの段階に設定されているか否かが判断される。
【０１８５】
全てのマイクロスイッチ４５８，４６０，４６２，４６４，４６６，４６８がＯＦＦ状態を維持している場合には、制御デバイス５０６は、押圧操作部材４１２の押込み量が第１の段階に設定されていると判断し（ステップＳ５４６においてＹＥＳ）、滑り度合データ「１＿Ｍ３」を無線通信デバイス５０８及び無線通信デバイス５０２の両者間の無線通信により装置本体１０４側のＰＣ５００に送信する。
【０１８６】
第１のマイクロスイッチ４５８がＯＦＦ状態からＯＮ状態に切換わり他のマイクロスイッチ４６０，４６２，４６４，４６６，４６８がＯＦＦ状態を維持している場合には、制御デバイス５０６は、押圧操作部材４１２の押込み量が第２の段階に設定されていると判断し（ステップＳ５４８においてＹＥＳ）、滑り度合データ「２＿Ｍ３」を無線通信デバイス５０８及び無線通信デバイス５０２の両者間の無線通信により装置本体１０４側のＰＣ５００に送信する。
【０１８７】
第１及び第２のマイクロスイッチ４５８，４６０がＯＦＦ状態からＯＮ状態に切換わり他のマイクロスイッチ４６２，４６４，４６６，４６８がＯＦＦ状態を維持している場合には、制御デバイス５０６は、押圧操作部材４１２の押込み量が第３の段階に設定されていると判断し（ステップＳ５５０においてＹＥＳ）、滑り度合データ「３＿Ｍ３」を無線通信デバイス５０８及び無線通信デバイス５０２の両者間の無線通信により装置本体１０４側のＰＣ５００に送信する。
【０１８８】
第１〜第３のマイクロスイッチ４５８，４６０，４６２がＯＦＦ状態からＯＮ状態に切換わり他のマイクロスイッチ４６４，４６６，４６８がＯＦＦ状態を維持している場合には、制御デバイス５０６は、押圧操作部材４１２の押込み量が第４の段階に設定されていると判断し（ステップＳ５５２においてＹＥＳ）、滑り度合データ「４＿Ｍ３」を無線通信デバイス５０８及び無線通信デバイス５０２の両者間の無線通信により装置本体１０４側のＰＣ５００に送信する。
【０１８９】
第１〜第４のマイクロスイッチ４５８，４６０，４６２，４６４がＯＦＦ状態からＯＮ状態に切換わり他のマイクロスイッチ４６６，４６８がＯＦＦ状態を維持している場合には、制御デバイス５０６は、押圧操作部材４１２の押込み量が第５の段階に設定されていると判断し（ステップＳ５５４においてＹＥＳ）、滑り度合データ「５＿Ｍ３」を無線通信デバイス５０８及び無線通信デバイス５０２の両者間の無線通信により装置本体１０４側のＰＣ５００に送信する。
【０１９０】
第１〜第５のマイクロスイッチ４５８，４６０，４６２，４６４，４６６がＯＦＦ状態からＯＮ状態に切換わり第６のマイクロスイッチ４６８がＯＦＦ状態を維持している場合には、制御デバイス５０６は、押圧操作部材４１２の押込み量が第６の段階に設定されていると判断し（ステップＳ５５６においてＹＥＳ）、滑り度合データ「６＿Ｍ３」を無線通信デバイス５０８及び無線通信デバイス５０２の両者間の無線通信により装置本体１０４側のＰＣ５００に送信する。
【０１９１】
他方、制御がステップＰ９２０に進むと、装置本体１０４側のＰＣ５００は、無線通信デバイス５０２を介して濃度変更モード設定信号を受信したか否かを判別する。濃度変更モード設定信号を受信した場合には、ＰＣ５００は、ルックアップポインタをオブジェクト画像濃度記憶領域８００に設定する。その後、制御はステップＰ９２４及び９２６に進む。これに対し、濃度変更モード設定信号を受信しない場合には、ＰＣ５００は、制御を図３５に示すステップＰ９３０に進める。
【０１９２】
制御がステップＰ９２４及び９２６に進むと、ＰＣ５００は、上記滑り度合データを受信したときに限って、タッチペン１０８の押圧操作部材４１２の押込み量の段階に応じた、第３のオブジェクト画像表示処理を実行する。この第３のオブジェクト画像表示処理については後述する。
【０１９３】
図３５を参照して、制御がステップＳ５６０に進むと、タッチペン１０８側の制御デバイス５０６は、オブジェクト画像表示態様変更モードがオブジェクト画像表示色変更モードに設定されたか否かを判断する。色変更モード設定スイッチ１０１２がＯＦＦ状態からＯＮ状態に切換えられ色変更モードに設定されたと判断した場合には、制御デバイス５０６は、制御をステップＳ５６２及びＳ５６４に進める。他方、色変更モードに設定されていないと判断した場合には、制御デバイス５０６は、制御を図３２に示すステップＳ５００に戻す。
【０１９４】
制御がステップＳ５６２及びＳ５６４に進むと、制御デバイス５０６は、色変更モード設定変数Ｍ４に「１」を代入し、これを記憶する。このとき、制御デバイス５０６は、色変更モード設定信号を無線通信デバイス５０８及び無線通信デバイス５０２の両者間の無線通信により装置本体１０４側のＰＣ５００に送信する。なお、上記変数Ｍ４は、他のモードに変更されると「１」から「０」にトグルされる。その後、制御はステップＳ５６６、Ｓ５６８、Ｓ５７０、Ｓ５７２、Ｓ５７４及びＳ５７６に進む。
【０１９５】
ステップＳ５６６、Ｓ５６８、Ｓ５７０、Ｓ５７２、Ｓ５７４及びＳ５７６においては、制御デバイス５０６により、タッチペン１０８の押圧操作部材４１２の押込み量が何れの段階に設定されているかが判断される。
【０１９６】
全てのマイクロスイッチ４５８，４６０，４６２，４６４，４６６，４６８がＯＦＦ状態を維持している場合には、制御デバイス５０６は、押圧操作部材４１２の押込み量が第１の段階に設定されていると判断し（ステップＳ５６６においてＹＥＳ）、滑り度合データ「１＿Ｍ４」を無線通信デバイス５０８及び無線通信デバイス５０２の両者間の無線通信により装置本体１０４側のＰＣ５００に送信する。
【０１９７】
第１のマイクロスイッチ４５８がＯＦＦ状態からＯＮ状態に切換わり他のマイクロスイッチ４６０，４６２，４６４，４６６，４６８がＯＦＦ状態を維持している場合には、制御デバイス５０６は、押圧操作部材４１２の押込み量が第２の段階に設定されていると判断し（ステップＳ５６８においてＹＥＳ）、滑り度合データ「２＿Ｍ４」を無線通信デバイス５０８及び無線通信デバイス５０２の両者間の無線通信により装置本体１０４側のＰＣ５００に送信する。
【０１９８】
第１及び第２のマイクロスイッチ４５８，４６０がＯＦＦ状態からＯＮ状態に切換わり他のマイクロスイッチ４６２，４６４，４６６，４６８がＯＦＦ状態を維持している場合には、制御デバイス５０６は、押圧操作部材４１２の押込み量が第３の段階に設定されていると判断し（ステップＳ５７０においてＹＥＳ）、滑り度合データ「３＿Ｍ４」を無線通信デバイス５０８及び無線通信デバイス５０２の両者間の無線通信により装置本体１０４側のＰＣ５００に送信する。
【０１９９】
第１〜第３のマイクロスイッチ４５８，４６０，４６２がＯＦＦ状態からＯＮ状態に切換わり他のマイクロスイッチ４６４，４６６，４６８がＯＦＦ状態を維持している場合には、制御デバイス５０６は、押圧操作部材４１２の押込み量が第４の段階に設定されていると判断し（ステップＳ５７２においてＹＥＳ）、滑り度合データ「４＿Ｍ４」を無線通信デバイス５０８及び無線通信デバイス５０２の両者間の無線通信により装置本体１０４側のＰＣ５００に送信する。
【０２００】
第１〜第４のマイクロスイッチ４５８，４６０，４６２，４６４がＯＦＦ状態からＯＮ状態に切換わり他のマイクロスイッチ４６６，４６８がＯＦＦ状態を維持している場合には、制御デバイス５０６は、押圧操作部材４１２の押込み量が第５の段階に設定されていると判断し（ステップＳ５７４においてＹＥＳ）、滑り度合データ「５＿Ｍ４」を無線通信デバイス５０８及び無線通信デバイス５０２の両者間の無線通信により装置本体１０４側のＰＣ５００に送信する。
【０２０１】
第１〜第５のマイクロスイッチ４５８，４６０，４６２，４６４，４６６がＯＦＦ状態からＯＮ状態に切換わり第６のマイクロスイッチ４６８がＯＦＦ状態を維持している場合には、制御デバイス５０６は、押圧操作部材４１２の押込み量が第６の段階に設定されていると判断し（ステップＳ５７６においてＹＥＳ）、滑り度合データ「６＿Ｍ４」を無線通信デバイス５０８及び無線通信デバイス５０２の両者間の無線通信により装置本体１０４側のＰＣ５００に送信する。
【０２０２】
他方、制御がステップＰ９３０に進むと、装置本体１０４側のＰＣ５００は、無線通信デバイス５０２を介して色変更モード設定信号を受信したか否かを判別する。色変更モード設定信号を受信した場合には、ＰＣ５００は、ルックアップポインタをオブジェクト画像色記憶領域９００に設定する。その後、制御はステップＰ９３４及び９３６に進む。これに対し、色変更モード設定信号を受信しない場合には、ＰＣ５００は、制御を図３２に示すステップＰ９００に戻す。
【０２０３】
制御がステップＰ９３４及び９３６に進むと、ＰＣ５００は、上記滑り度合データを受信したときに、タッチペン１０８の押圧操作部材４１２の押込み量の段階に応じた、第４のオブジェクト画像表示処理を実行する。この第４のオブジェクト画像表示処理については後述する。
【０２０４】
なお、本実施の形態では、上記４つのモードの何れのモードに設定されている場合でも、タッチペン１０８のペン先端部４００の滑り度合の設定段階が装置本体１０４側で常時監視され、ペン先端部４００の滑り度合が切換えられるまでその滑り度合に応じた第１〜第４の何れかのオブジェクト画像表示処理が実行され、ペン先端部４００の滑り度合が切換えられると、それまで実行されていたオブジェクト画像表示処理がリセットされ、改めて切換えられた滑り度合に応じた第１〜第４の何れかのオブジェクト画像表示処理が実行される。
【０２０５】
（第１のオブジェクト画像表示処理）
図３６〜図３８はサブルーチンとしての第１のオブジェクト画像表示処理を実現するためのプログラム構造をフローチャート形式で示す図である。
【０２０６】
図３６を参照して、ステップＰ１０００、Ｐ１００２及びＰ１００４においては、受信した滑り度合データが「１＿Ｍ１」である場合には、ＰＣ５００は、この滑り度合データ「１＿Ｍ１」に基づいて、タッチペン１０８の押圧操作部材４１２の押込み量が第１の段階に設定されていると判断し、透明タッチパネル２０４の操作面に対してタッチペン１０８による座標入力操作がなされたときに、当該滑り度合データ「１＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ａ）に示すように、オブジェクト画像６００を第１のサイズで表示させる。
【０２０７】
ステップＰ１００６、Ｐ１００８及びＰ１０１０においては、受信した滑り度合データが「２＿Ｍ１」である場合には、ＰＣ５００は、この滑り度合データ「２＿Ｍ１」に基づいて、タッチペン１０８の押圧操作部材４１２の押込み量が第２の段階に設定されていると判断し、透明タッチパネル２０４の操作面に対してタッチペン１０８による座標入力操作がなされたときに、当該滑り度合データ「２＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｂ）に示すように、オブジェクト画像６００を上記第１のサイズよりも太い第２のサイズで表示させる。
【０２０８】
図３７を参照して、ステップＰ１０１２、Ｐ１０１４及びＰ１０１６においては、受信した滑り度合データが「３＿Ｍ１」である場合には、ＰＣ５００は、この滑り度合データ「３＿Ｍ１」に基づいて、タッチペン１０８の押圧操作部材４１２の押込み量が第３の段階に設定されていると判断し、透明タッチパネル２０４の操作面に対してタッチペン１０８による座標入力操作がなされたときに、当該滑り度合データ「３＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｃ）に示すように、オブジェクト画像６００を上記第２のサイズよりも太い第３のサイズで表示させる。
【０２０９】
ステップＰ１０１８、Ｐ１０２０及びＰ１０２２においては、受信した滑り度合データが「４＿Ｍ１」である場合には、ＰＣ５００は、この滑り度合データ「４＿Ｍ１」に基づいて、タッチペン１０８の押圧操作部材４１２の押込み量が第４の段階に設定されていると判断し、透明タッチパネル２０４の操作面に対してタッチペン１０８による座標入力操作がなされたときに、当該滑り度合データ「４＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｄ）に示すように、オブジェクト画像６００を上記第３のサイズよりも太い第４のサイズで表示させる。
【０２１０】
図３８を参照して、ステップＰ１０２４、Ｐ１０２６及びＰ１０２８においては、受信した滑り度合データが「５＿Ｍ１」である場合には、ＰＣ５００は、この滑り度合データ「５＿Ｍ１」に基づいて、タッチペン１０８の押圧操作部材４１２の押込み量が第５の段階に設定されていると判断し、透明タッチパネル２０４の操作面に対してタッチペン１０８による座標入力操作がなされたときに、当該滑り度合データ「５＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｅ）に示すように、オブジェクト画像６００を上記第４のサイズよりも太い第５のサイズで表示させる。
【０２１１】
ステップＰ１０３０、Ｐ１０３２及びＰ１０３４においては、受信した滑り度合データが「６＿Ｍ１」である場合には、ＰＣ５００は、この滑り度合データ「６＿Ｍ１」に基づいて、タッチペン１０８の押圧操作部材４１２の押込み量が第６の段階に設定されていると判断し、透明タッチパネル２０４の操作面に対してタッチペン１０８による座標入力操作がなされたときに、当該滑り度合データ「６＿Ｍ１」をパラメータとして、上記ルックアップポインタが設定されたオブジェクト画像サイズ記憶領域５０４に格納されているオブジェクト画像サイズ変更データを参照し、この参照結果に基づいて、大型ＬＣＤ２０２の表示領域上のタッチペン１０８により入力された座標に対応する位置に、図１２（Ｆ）に示すように、オブジェクト画像６００を上記第５のサイズよりも太い第６のサイズで表示させる。
【０２１２】
（第２のオブジェクト画像表示処理）
図３９〜図４１はサブルーチンとしての第２のオブジェクト画像表示処理を実現するためのプログラム構造をフローチャート形式で示す図である。
【０２１３】
図３９を参照して、ステップＰ２０００、Ｐ２００２及びＰ２００４においては、受信した滑り度合データが「１＿Ｍ２」である場合には、ＰＣ５００は、この滑り度合データ「１＿Ｍ２」に基づいて、タッチペン１０８の押圧操作部材４１２の押込み量が第１の段階に設定されていると判断し、透明タッチパネル２０４の操作面に対してタッチペン１０８による座標入力操作がなされたときに限って、当該滑り度合データ「１＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ａ）に示すように、オブジェクト画像６００を第１の形状（円形）で表示させる。
【０２１４】
ステップＰ２００６、Ｐ２００８及びＰ２０１０においては、受信した滑り度合データが「２＿Ｍ２」である場合には、ＰＣ５００は、この滑り度合データ「２＿Ｍ２」に基づいて、タッチペン１０８の押圧操作部材４１２の押込み量が第２の段階に設定されていると判断し、透明タッチパネル２０４の操作面に対してタッチペン１０８による座標入力操作がなされたときに、当該滑り度合データ「２＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｂ）に示すように、オブジェクト画像６００を第２の形状（長方形）で表示させる。
【０２１５】
図４０を参照して、ステップＰ２０１２、Ｐ２０１４及びＰ２０１６においては、受信した滑り度合データが「３＿Ｍ２」である場合には、ＰＣ５００は、この滑り度合データ「３＿Ｍ２」に基づいて、タッチペン１０８の押圧操作部材４１２の押込み量が第３の段階に設定されていると判断し、透明タッチパネル２０４の操作面に対してタッチペン１０８による座標入力操作がなされたときに、当該滑り度合データ「３＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｃ）に示すように、オブジェクト画像６００を第３の形状（星形）となるように表示させる。
【０２１６】
ステップＰ２０１８、Ｐ２０２０及びＰ２０２２においては、受信した滑り度合データが「４＿Ｍ２」である場合には、ＰＣ５００は、この滑り度合データ「４＿Ｍ２」に基づいて、タッチペン１０８の押圧操作部材４１２の押込み量が第４の段階に設定されていると判断し、透明タッチパネル２０４の操作面に対してタッチペン１０８による座標入力操作がなされたときに限って、当該滑り度合データ「４＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｄ）に示すように、オブジェクト画像６００を第４の形状（正方形）で表示させる。
【０２１７】
図４１を参照して、ステップＰ２０２４、Ｐ２０２６及びＰ２０２８においては、受信した滑り度合データが「５＿Ｍ２」である場合には、ＰＣ５００は、この滑り度合データ「５＿Ｍ２」に基づいて、タッチペン１０８の押圧操作部材４１２の押込み量が第５の段階に設定されていると判断し、透明タッチパネル２０４の操作面に対してタッチペン１０８による座標入力操作がなされたときに、当該滑り度合データ「５＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｅ）に示すように、オブジェクト画像６００を第５の形状（三角形）で表示させる。
【０２１８】
ステップＰ２０３０、Ｐ２０３２及びＰ２０３４においては、受信した滑り度合データが「６＿Ｍ２」である場合には、ＰＣ５００は、この滑り度合データ「６＿Ｍ２」に基づいて、タッチペン１０８の押圧操作部材４１２の押込み量が第６の段階に設定されていると判断し、透明タッチパネル２０４の操作面に対してタッチペン１０８による座標入力操作がなされたときに、当該滑り度合データ「６＿Ｍ２」をパラメータとして、上記ルックアップポインタが設定されたオブジェクト画像形状記憶領域７００に格納されているオブジェクト画像形状変更データを参照し、この参照結果に基づいて、大型ＬＣＤ２０２の表示領域上のタッチペン１０８により入力された座標に対応する位置に、図１７（Ｆ）に示すように、オブジェクト画像６００を第６の形状（菱形）で表示させる。
【０２１９】
（第３のオブジェクト画像表示処理）
図４２〜図４４はサブルーチンとしての第３のオブジェクト画像表示処理を実現するためのプログラム構造をフローチャート形式で示す図である。
【０２２０】
図４２を参照して、ステップＰ３０００、Ｐ３００２及びＰ３００４においては、受信した滑り度合データが「１＿Ｍ３」である場合には、ＰＣ５００は、この滑り度合データ「１＿Ｍ３」に基づいて、タッチペン１０８の押圧操作部材４１２の押込み量が第１の段階に設定されていると判断し、透明タッチパネル２０４の操作面に対してタッチペン１０８による座標入力操作がなされたときに、当該滑り度合データ「１＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ａ）に示すように、オブジェクト画像６００を最も明るい第１の濃度Ｄ０で表示させる。
【０２２１】
ステップＰ３００６、Ｐ３００８及びＰ３０１０においては、受信した滑り度合データが「２＿Ｍ３」である場合には、この滑り度合データ「２＿Ｍ３」に基づいて、タッチペン１０８の押圧操作部材４１２の押込み量が第２の段階に設定されていると判断し、透明タッチパネル２０４の操作面に対してタッチペン１０８による座標入力操作がなされたときに、当該滑り度合データ「２＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｂ）に示すように、オブジェクト画像６００を上記第１の濃度Ｄ０より暗い第２の濃度Ｄ１で表示させる。
【０２２２】
図４３を参照して、ステップＰ３０１２、Ｐ３０１４及びＰ３０１６において、受信した滑り度合データが「３＿Ｍ３」である場合には、ＰＣ５００は、この滑り度合データ「３＿Ｍ３」に基づいて、タッチペン１０８の押圧操作部材４１２の押込み量が第３の段階に設定されていると判断し、透明タッチパネル２０４の操作面に対してタッチペン１０８による座標入力操作がなされたときに、当該滑り度合データ「３＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｃ）に示すように、オブジェクト画像６００を上記第２の濃度Ｄ１よりも暗い第３の濃度Ｄ２で表示させる。
【０２２３】
ステップＰ３０１８、Ｐ３０２０及びＰ３０２２においては、受信した滑り度合データが「４＿Ｍ３」である場合には、ＰＣ５００は、この滑り度合データ「４＿Ｍ３」に基づいて、タッチペン１０８の押圧操作部材４１２の押込み量が第４の段階に設定されていると判断し、透明タッチパネル２０４の操作面に対してタッチペン１０８による座標入力操作がなされたときに、当該滑り度合データ「４＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｄ）に示すように、オブジェクト画像６００を上記第３の濃度Ｄ２よりも暗い第４の濃度Ｄ３で表示させる。
【０２２４】
図４４を参照して、ステップＰ３０２４、Ｐ３０２６及びＰ３０２８においては、受信した滑り度合データが「５＿Ｍ３」である場合には、ＰＣ５００は、この滑り度合データ「５＿Ｍ３」に基づいて、タッチペン１０８の押圧操作部材４１２の押込み量が第５の段階に設定されていると判断し、透明タッチパネル２０４の操作面に対してタッチペン１０８による座標入力操作がなされたときに、当該滑り度合データ「５＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｅ）に示すように、オブジェクト画像６００を上記第４の濃度Ｄ３よりも暗い第５の濃度Ｄ４で表示させる。
【０２２５】
ステップＰ３０３０、Ｐ３０３２及びＰ３０３４においては、受信した滑り度合データが「６＿Ｍ３」である場合には、ＰＣ５００は、この滑り度合データ「６＿Ｍ３」に基づいて、タッチペン１０８の押圧操作部材４１２の押込み量が第６の段階に設定されていると判断し、透明タッチパネル２０４の操作面に対してタッチペン１０８による座標入力操作がなされたときに、当該滑り度合データ「６＿Ｍ３」をパラメータとして、上記ルックアップポインタが設定されたオブジェクト画像濃度記憶領域８００に格納されているオブジェクト画像濃度変更データを参照し、この参照結果に基づいて、大型ＬＣＤ２０２の表示領域上のタッチペン１０８により入力された座標に対応する位置に、図２２（Ｆ）に示すように、オブジェクト画像６００を最も暗い第６の濃度Ｄ５で表示させる。
【０２２６】
（第４のオブジェクト画像表示処理）
図４５〜図４７はサブルーチンとしての第４のオブジェクト画像表示処理を実現するためのプログラム構造をフローチャート形式で示す図である。
【０２２７】
図４５を参照して、ステップＰ４０００、Ｐ４００２及びＰ４００４においては、受信した滑り度合データが「１＿Ｍ４」である場合には、ＰＣ５００は、この滑り度合データ「１＿Ｍ４」に基づいて、タッチペン１０８の押圧操作部材４１２の押込み量が第１の段階に設定されていると判断し、透明タッチパネル２０４の操作面に対してタッチペン１０８による座標入力操作がなされたときに、当該滑り度合データ「１＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ａ）に示すように、オブジェクト画像６００を第１の色（黒色）で表示させる。
【０２２８】
ステップＰ４００６、Ｐ４００８及びＰ４０１０においては、受信した滑り度合データが「２＿Ｍ４」である場合には、ＰＣ５００は、この滑り度合データ「２＿Ｍ４」に基づいて、タッチペン１０８の押圧操作部材４１２の押込み量が第２の段階に設定されていると判断し、透明タッチパネル２０４の操作面に対してタッチペン１０８による座標入力操作がなされたときに、当該滑り度合データ「２＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｂ）に示すように、オブジェクト画像６００を第２の色（赤色）で表示させる。
【０２２９】
図４６を参照して、ステップＰ４０１２、Ｐ４０１４及びＰ４０１６においては、受信した滑り度合データが「３＿Ｍ４」である場合には、ＰＣ５００は、この滑り度合データ「３＿Ｍ４」に基づいて、タッチペン１０８の押圧操作部材４１２の押込み量が第３の段階に設定されていると判断し、透明タッチパネル２０４の操作面に対してタッチペン１０８による座標入力操作がなされたときに、当該滑り度合データ「３＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｃ）に示すように、オブジェクト画像６００を第３の色（青色）で表示させる。
【０２３０】
ステップＰ４０１８、Ｐ４０２０及びＰ４０２２においては、受信した滑り度合データが「４＿Ｍ４」である場合には、ＰＣ５００は、この滑り度合データ「４＿Ｍ４」に基づいて、タッチペン１０８の押圧操作部材４１２の押込み量が第４の段階に設定されていると判断し、透明タッチパネル２０４の操作面に対してタッチペン１０８による座標入力操作がなされたときに、当該滑り度合データ「４＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｄ）に示すように、オブジェクト画像６００を背景色と同じ色の第４の色（白色）で表示させる。
【０２３１】
図４７を参照して、ステップＰ４０２４、Ｐ４０２６及びＰ４０２８においては、受信した滑り度合データが「５＿Ｍ４」である場合には、ＰＣ５００は、この滑り度合データ「５＿Ｍ４」に基づいて、タッチペン１０８の押圧操作部材４１２の押込み量が第５の段階に設定されていると判断し、透明タッチパネル２０４の操作面に対してタッチペン１０８による座標入力操作がなされたときに、当該滑り度合データ「５＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｅ）に示すように、オブジェクト画像６００を第５の色（黄色）で表示させる。
【０２３２】
ステップＰ４０３０、Ｐ４０３２及びＰ４０３４においては、受信した滑り度合データが「６＿Ｍ４」である場合には、ＰＣ５００は、この滑り度合データ「６＿Ｍ４」に基づいて、タッチペン１０８の押圧操作部材４１２の押込み量が第６の段階に設定されていると判断し、透明タッチパネル２０４の操作面に対してタッチペン１０８による座標入力操作がなされたときに、当該滑り度合データ「６＿Ｍ４」をパラメータとして、上記ルックアップポインタが設定されたオブジェクト画像色記憶領域９００に格納されているオブジェクト画像色変更データを参照し、この参照結果に基づいて、大型ＬＣＤ２０２の表示領域上のタッチペン１０８により入力された座標に対応する位置に、図２７（Ｆ）に示すように、オブジェクト画像６００を第６の色（緑色）で表示させる。
【０２３３】
＜動作＞
本実施の形態では、タッチペン１０８のペン先端部４００を透明タッチパネル２０４の操作面に接触させる座標入力操作がなされると、大型ＬＣＤ２０２の表示領域において、入力座標位置に応じた位置にオブジェクト画像６００が表示される。その一方で、タッチペン１０８の押圧操作部材４１２の押込み量の段階が深くなるに従って、そのペン先端部４００の滑り度合が低下する。この切換えられたタッチペン１０８のペン先端部４００の滑り度合は、装置本体１０４側のＰＣ５００に通知される。
【０２３４】
このとき、タッチペン１０８側でオブジェクト画像表示態様変更モードがサイズ変更モードに設定されていると、ＰＣ５００は、通知されたタッチペン１０８のペン先端部４００の滑り度合に応じて、ＬＣＤ２０２の表示領域上で表示すべきオブジェクト画像６００のサイズ（太さ）を変更して当該オブジェクト画像６００を表示させる。
【０２３５】
また、タッチペン１０８側でオブジェクト画像表示態様変更モードが形状変更モードに設定されていると、ＰＣ５００は、通知されたタッチペン１０８のペン先端部４００の滑り度合に応じて、ＬＣＤ２０２の表示領域上で表示すべきオブジェクト画像６００の形状を変更して当該オブジェクト画像６００を表示させる。
【０２３６】
さらに、タッチペン１０８側でオブジェクト画像表示態様変更モードが濃度変更モードに設定されていると、ＰＣ５００は、通知されたタッチペン１０８のペン先端部４００の滑り度合に応じて、ＬＣＤ２０２の表示領域上で表示すべきオブジェクト画像６００の濃度を変更して当該オブジェクト画像６００を表示させる。
【０２３７】
さらにまた、タッチペン１０８側でオブジェクト画像表示態様変更モードが色変更モードに設定されていると、ＰＣ５００は、通知されたタッチペン１０８のペン先端部４００の滑り度合に応じて、ＬＣＤ２０２の表示領域上で表示すべきオブジェクト画像６００の色を変更して当該オブジェクト画像６００を表示させる。
【０２３８】
＜作用・効果＞
本実施の形態によると、第１の実施の形態の（２）〜（５）と同様の作用・効果を奏することに加えて、以下の作用・効果を奏する。
【０２３９】
タッチペン１０８のペン先端部４００をタッチパネル２０４の操作面に接触させる座標入力操作がなされたときに、大型ＬＣＤ２０２の表示領域において、入力座標位置に応じた位置にオブジェクト画像６００が表示されるが、切換え設定された表示態様変更モード及びタッチペン１０８のペン先端部４００の滑り度合に応じて、オブジェクト画像６００の表示態様（表示サイズ、表示形状、表示濃度又は表示色）が変更される。このように、表示態様変更モード及びタッチペン１０８のペン先端部４００の滑り度合と、タッチペン１０８による座標入力操作を契機として表示されるオブジェクト画像６００の表示色とを連動させることで、座標入力により表示されるオブジェクト画像６００と一致したタッチペン１０８の操作感をプレゼンタ１０６に与えることができる。したがって、タッチパネル２０４の操作面に表面加工を施したり、又はタッチペン１０８のペン先端部４００を交換したりしなくても、タッチペン１０８を用いて座標入力操作を行なった際のプレゼンタ１０６の操作感を向上させることができる。
【０２４０】
[第６の実施の形態]
＜タッチペン１０８の構成＞
図４８は本発明の第６の実施の形態に係る表示装置１００に適用されるタッチペン１０８の構成を示す断面図である。
【０２４１】
図４８を参照して、本実施の形態においては、タッチペン１０８は、透明タッチパネル２０４の操作面上での滑り度合が互いに異なるペン先端部２０００，２００２を備えている。
【０２４２】
第１のペン先端部２０００は、その滑り度合が相対的に高く設定されている。具体的には、第１のペン先端部２０００は、ボールペンのような硬くて滑りの良い操作感をプレゼンタに与えるように、その摩擦係数及び弾力性等が設定されている。一方、第２のペン先端部２００２は、その滑り度合が相対的に低く設定されている。具体的には、第２のペン先端部２００２は、フェルトペンのようなやや柔らかくて滑りの少ない操作感をプレセンタに与えるように、その摩擦係数及び弾力性等が設定されている。これら第１及び第２のペン先端部２０００，２００２の先端面は、略半球面状に丸みを帯びた形状をなしている。
【０２４３】
本タッチペン１０８には、第１及び第２のペン先端部２０００，２００２のうち透明タッチパネル２０４の操作面に対して座標入力を行なうペン先端部を択一的に選択して切換えるための切換機構２００４が備えられている。
【０２４４】
切換機構２００４は、第１のペン先端部２０００を図４８（Ａ）に示すようにペン軸４０８の先端から突出させて当該第１のペン先端部２０００による透明タッチパネル２０４への座標入力を可能とする姿勢に切換えるための第１の操作部材２００６と、第２のペン先端部２００２を図４８（Ｃ）に示すようにペン軸４０８の先端から突出させて当該第２のペン先端部２００２による透明タッチパネル２０４への座標入力を可能とする姿勢に切換えるための第２の操作部材２００８と、上記第１のペン先端部２０００の突出姿勢を保持するための第１のストッパ２０１０と、上記第２のペン先端部２００２の突出姿勢を保持するための第２のストッパ２０１２とを含む。
【０２４５】
第１及び第２の操作部材２００６，２００８は、ペン軸４０８の長さ寸法よりも長い寸法の丸棒部材であって、その操作面となる後端面は、常時、ペン軸４０８の後端から突出する。第１の操作部材２００６の先端面には、第１のペン先端部２０００が取り付けられている。この第１の操作部材２００６は、ペン軸４０８の一側領域（図４８においては左側領域）において軸方向に沿って形成された第１の貫通孔２０１４に対して上下移動自在にペン軸４０８の後端側から嵌め込まれ、第１の貫通孔２０１４内において第１のばね２０１６により上方に付勢されている。一方、第２の操作部材２００８の先端面には、第２のペン先端部２００２が取り付けられている。この第２の操作部材２００８は、ペン軸４０８の他側領域（図４８においては右側領域）において軸方向に沿って形成された第２の貫通孔２０１８に対して上下移動自在にペン軸４０８の後端側から嵌め込まれ、第２の貫通孔２０１８内において第２のばね２０２０により上方に付勢されている。
【０２４６】
第１のばね２０１６は、第１の操作部材２００６に外装されている。具体的には、第１のばね２０１６の上端部が第１の操作部材２００６の外周面に取り付けられ、下端部が第１の貫通孔２０１４の壁面に取り付けられている。一方、第２のばね２０２０は、第２の操作部材２００８に外装されている。具体的には、第２のばね２０２０の上端部が第２の操作部材２００８の外周面に取り付けられ、下端部が第２の貫通孔２０１８の壁面に取り付けられている。
【０２４７】
第１及び第２のストッパ２０１０，２０１２は、樹脂等の弾性を有する素材で構成され、第１の貫通孔２０１４と第２の貫通孔２０１８との間に生じる隔壁部４０８Ａにおいて横軸２０２２周りに回転自在に支持されている。これら第１及び第２のストッパ２０１０，２０１２は、その先端部に係合爪２０２４，２０２６が形成されたアーム状の形状をなしている。これに対して、第１の操作部材２００６の外周面の隔壁部４０８Ａに対向する領域には、第１のストッパ２０１０の係合爪２０２４に係合される被係合溝２０２８が形成されている。この被係合溝２０２８は、第１の操作部材２００６において、第１のペン先端部２０００及び第１のばね２０１６の外装領域の両者の略中間位置に配置されている。同様に、第２の操作部材２００８の外周面の隔壁部４０８Ａに対向する領域には、第２のストッパ２０１２の係合爪２０２６に係合される被係合溝２０３０が形成されている。この被係合溝２０３０は、第２の操作部材２００８において、第２のペン先端部２００２及び第２のばね２０２０の外装領域の両者の略中間位置に配置されている。
【０２４８】
また、本タッチペン１０８においては、透明タッチパネル２０４の操作面上で座標入力するためのペン先端部として、第１及び第２のペン先端部２０００，２００２の何れのペン先端部が選択されたかを検出するための検出機構２０３２が備えられている。
【０２４９】
検出機構２０３２は、第１の貫通孔２０１４の隔壁部４０８Ａを区画する壁面とは反対側の壁面に埋め込まれた第１の検出スイッチ２０３４と、第２の貫通孔２０１８の隔壁部４０８Ａを区画する壁面とは反対側の壁面に埋め込まれた第２の検出スイッチ２０３６と、第１の操作部材２００６の外周面の隔壁部４０８Ａに対向する領域とは反対側の領域に凹設され、図４８（Ａ）に示すように第１のペン先端部２０００が上記の突出姿勢とされたときに第１の検出スイッチ２０３４と正対することによって当該第１の検出スイッチ２０３４をＯＮ状態からＯＦＦ状態に切換えるための第１の凹部２０３８と、第２の操作部材２００８の外周面の隔壁部４０８Ａに対向する領域とは反対側の領域に凹設され、図４８（Ｃ）に示すように第２のペン先端部２００２が上記の突出姿勢とされたときに第２の検出スイッチ２０３６と正対することによって当該第２の検出スイッチ２０３６をＯＮ状態からＯＦＦ状態に切換えるための第２の凹部２０４０とを含み、第１及び第２の検出スイッチ２０３４，２０３６の両者のＯＮ及びＯＦＦの組合せを図４９に示す制御デバイス５０６が判断することによって、第１及び第２のペン先端部２０００，２００２のうち何れのペン先端部が座標入力用として選択されたか検出されるように構成されている。
【０２５０】
第１及び第２の検出スイッチ２０３４，２０３６は、マイクロスイッチであって、ペン軸４０８の先端部側に配置されている。
【０２５１】
第１の凹部２０３８は、第１のペン先端部２０００及び被係合溝２０２８の両者の略中間位置に配置されている。同様に、第２の凹部２０４０は、第２のペン先端部２００２及び被係合溝２０３０の両者の略中間位置に配置されている。
【０２５２】
上記構成において、図４８（Ａ）に示すように、第１の操作部材２００６を第１のばね２０１６の付勢力に抗して下側に押込み、それによって第１のペン先端部２０００をペン軸４０８の先端から突出させて当該第１のペン先端部２０００による透明タッチパネル２０４への座標入力を可能とする姿勢した場合においては、第１の操作部材２００６の被係合溝２０２８に第１のストッパ２０１０の係合爪２０２４が係合する。これにより、第１のペン先端部２０００の突出姿勢が保持される。このとき、第１の検出スイッチ２０３４は、第１の凹部２０３８と正対するので、ＯＮ状態からＯＦＦ状態に切換わる。一方、第２の検出スイッチ２０３６は、第２の操作部材２００８の外周面との接触状態が維持されるので、ＯＮ状態が維持される。
【０２５３】
この状態から、図４８（Ｂ）に示すように、第２のペン先端部２００２をペン軸４０８の先端から突出させて当該第２のペン先端部２００２での透明タッチパネル２０４への座標入力が可能な姿勢とするべく、第２の操作部材２００８を第２のばね２０２０の付勢力に抗して下側に押込むと、第２の操作部材２００８の被係合溝２０３０に第２のストッパ２０１２の係合爪２０２６が係合する。これにより、第２のペン先端部２００２の突出姿勢が保持される。このとき、第１のストッパ２０１０が横軸２０２２周りに時計方向に向かって回転し、第１のストッパ２０１０の係合爪２０２４と第１の操作部材２００６の被係合溝２０２８との係合力が弱まるので、第１のばね２０１６の付勢力の方が係合爪２０２４及び被係合溝２０２８の両者の係合力よりも強くなる。その結果、第１の操作部材２００６は、図４８（Ｃ）に示すように、第１のばね２０１６の付勢力により上方に向かって移動し、第１のペン先端部２０００が第２のペン先端部２００２に代わってペン軸４０８内に収まることになる。
【０２５４】
この状態において、第１の検出スイッチ２０３４は、第１の操作部材２００６の外周面と接触するので、ＯＦＦ状態からＯＮ状態に切換わる。一方、第２の検出スイッチ２０３６は、第２の凹部２０４０と正対するので、ＯＮ状態からＯＦＦ状態に切換わる。
【０２５５】
＜ハードウェア構成＞
図４９は表示装置１００のハードウェア構成を示すブロック図である。
図４９を参照して、検出機構２０３２の第１及び第２の検出スイッチ２０３４，２０３６の各スイッチング信号は、制御デバイス５０６に与えられ、制御デバイス５０６は、上述したように、第１及び第２の検出スイッチ２０３４，２０３６のＯＮ及びＯＦＦの組合せに基づいて、第１及び第２のペン先端部２０００，２００２のうち何れのペン先端部が座標入力用として選択されたかを判断する。
【０２５６】
＜ソフトウェア構成＞
本実施の形態においては、座標入力用のペン先端部として、滑り度合の高い第１のペン先端部２０００が選択された場合にはオブジェクト画像が細く表示される一方、滑り度合の低い第２のペン先端部２００２が選択された場合にはオブジェクト画像が太く表示されるようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０２５７】
図５０は本表示装置１００のプログラム構造をフローチャート形式で示す図である。
【０２５８】
図５０を参照して、本表示装置１００では、タッチペン１０８側の制御デバイス５０６は、座標入力用ペン先端部として第１及び第２のペン先端部２０００，２００２のうち何れのペン先端部が選択されたかを判断する（ステップＳ６００及びＳ６０２）。第１の検出スイッチ２０３４がＯＦＦ状態であって第２の検出スイッチ２０３６がＯＮ状態にある場合には、制御デバイス５０６は、滑り度合の高い第１のペン先端部２０００が座標入力用ペン先端部として選択されたと判断し（ステップＳ６００においてＹＥＳ）、無線通信デバイス５０８を介して滑り度合データ「Ａ」を装置本体１０４側に送信する。他方、第１の検出スイッチ２０３４がＯＮ状態であって第２の検出スイッチ２０３６がＯＦＦ状態である場合には、制御デバイス５０６は、滑り度合の低い第２のペン先端部２００２が選択されたと判断し（ステップＳ６０２においてＹＥＳ）、無線通信デバイス５０８を介して滑り度合データ「Ｂ」を装置本体１０４側に送信する。
【０２５９】
これに対し、装置本体１０４側のＰＣ５００は、受信した滑り度合データが「Ａ」及び「Ｂ」のうち何れの滑り度合データを受信したかを判断する（ステップＰ２０００及びＰ２００２）。無線通信デバイス５０２を介して受信した滑り度合データが「Ａ」である場合には（ステップＰ２０００においてＹＥＳ）、ＰＣ５００は、第１のペン先端部２０００による透明タッチパネル２０４の操作面に対する座標入力を検出すると、大型ＬＣＤ２０２の表示領域においてその座標入力位置にオブジェクト画像を細く表示する（ステップＰ２００４及びＰ２００６）。他方、無線通信デバイス５０２を介して受信した滑り度合データが「Ｂ」である場合には、ＰＣ５００は、第２のペン先端部２００２による透明タッチパネル２０４の操作面に対する座標入力を検出すると、大型ＬＣＤ２０２の表示領域においてその座標入力位置にオブジェクト画像を太く表示する（ステップＰ２００８及びＰ２０１０）。
【０２６０】
＜動作＞
本表示装置１００では、タッチペン１０８側で滑り度合の高い第１のペン先端部２０００が選択され、第１のペン先端部２０００により透明タッチパネル２０４の操作面上に座標入力がなされると、その座標入力位置に対応する大型ＬＣＤ２０２の表示領域上にオブジェクト画像が細く表示される。他方、タッチペン１０８側で滑り度合の低い第２のペン先端部２００２が選択され、第２のペン先端部２００２により透明タッチパネル２０４の操作面上に座標入力がなされると、その座標入力位置に対応する大型ＬＣＤ２０２の表示領域上にオブジェクト画像が太く表示される。
【０２６１】
＜作用・効果＞
本実施の形態によると、特に、以下の作用・効果を奏する。
【０２６２】
細いオブジェクト画像を描きたい場合にはボールペンのような硬く滑りの良い第１のペン先端部２０００に切換え、太いオブジェクト画像を描きたい場合にはフェルトペンのようなやや柔らかく滑りの少ない第２のペン先端部２００２に切換えることができるので、表示オブジェクト画像及びタッチペン１０８の操作感の両者の更なるマッチングを図ることが可能となる。
【０２６３】
[第７の実施の形態]
本実施の形態の特徴は、座標入力用のペン先端部として、滑り度合の高い第１のペン先端部２０００が選択された場合にはオブジェクト画像が所定の太さで表示される一方、滑り度合の低い第２のペン先端部２００２が選択された場合にはオブジェクト画像が背景色と同じ色で表示される点にあり、その他の構成は第６の実施の形態と同様である。
【０２６４】
＜ソフトウェア構成＞
本実施の形態では、表示装置１００が上述した特徴を発揮できるようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０２６５】
図５１は本発明の第７の実施の形態に係る表示装置１００のプログラム構造をフローチャート形式で示す図である。
【０２６６】
図５１を参照して、本表示装置１００では、タッチペン１０８側の制御デバイス５０６は、座標入力用ペン先端部として第１及び第２のペン先端部２０００，２００２のうち何れのペン先端部が選択されたかを判断する（ステップＳ７００及びＳ７０２）。ステップＳ７００において、滑り度合の高い第１のペン先端部２０００が座標入力用ペン先端部として選択されたと判断した場合には、制御デバイス５０６は、無線通信デバイス５０８を介して滑り度合データ「Ａ」を装置本体１０４側に送信する。ステップＳ７０２において、滑り度合の低い第２のペン先端部２００２が選択されたと判断した場合に、制御デバイス５０６は、無線通信デバイス５０８を介して滑り度合データ「Ｂ」を装置本体１０４側に送信する。
【０２６７】
これに対し、装置本体１０４側のＰＣ５００は、受信した滑り度合データが「Ａ」及び「Ｂ」のうち何れの滑り度合データを受信したかを判断する（ステップＰ３０００及びＰ３００２）。ステップＰ３０００において、受信した滑り度合データが「Ａ」である場合には、ＰＣ５００は、第１のペン先端部２０００による透明タッチパネル２０４の操作面に対する座標入力を検出したときに、その座標入力位置に対応する大型ＬＣＤ２０２の表示領域上にオブジェクト画像を所定の太さで表示する（ステップＰ３００４及びＰ３００６）。ステップＰ３００２において、受信した滑り度合データが「Ｂ」である場合には、ＰＣ５００は、第２のペン先端部２００２による透明タッチパネル２０４の操作面に対する座標入力を検出したときに、その座標入力位置に対応する大型ＬＣＤ２０２の表示領域上にオブジェクト画像を背景色と同じ色で表示する（ステップＰ３００８及びＰ３０１０）。
【０２６８】
＜動作＞
本実施の形態では、タッチペン１０８側で滑り度合の高い第１のペン先端部２０００が選択され、第１のペン先端部２０００により透明タッチパネル２０４の操作面上に座標入力がなされると、オブジェクト画像が所定の太さで表示される。他方、タッチペン１０８側で滑り度合の低い第２のペン先端部２００２が選択され、第２のペン先端部２００２により透明タッチパネル２０４の操作面上に座標入力がなされると、オブジェクト画像が背景色と同色表示される。
【０２６９】
＜作用・効果＞
本実施の形態によると、特に、以下の作用・効果を奏する。
【０２７０】
オブジェクト画像を消したい場合には、ペン先端部を第１のペン先端部２０００から第２のペン先端部２００２に切換えれば、オブジェクト画像が背景色と同じ色で表示され、切換えられた第２のペン先端部２００２が消しゴムとしての機能を果たすので、この点においても、オブジェクト画像及びタッチペンの操作感の両者の更なるマッチングを図ることが可能となる。
【０２７１】
[第８の実施の形態]
＜タッチペン１０８の構成＞
図５２は本発明の第８の実施の形態に係る表示装置１００に適用されるタッチペン１０８の構成を示す図であって、同図（Ａ）は側面図、同図（Ｂ）は同図（Ａ）Ｚ３−Ｚ３線に沿う断面図である。
【０２７２】
図５２を参照して、本実施の形態においては、タッチペン１０８は、先端が開口した断面形状がコ字形形状をなすペン軸４０８と、このペン軸４０８の先端開口部において回転軸３００８に支持されたホイール状の形状をなすペン先端部３０００とを含む。回転軸３００８は、ペン軸４０８の先端部においてペン軸４０８の両側壁に回転自在に支持されている。
【０２７３】
ペン先端部３０００は、摩擦係数及び弾力性等が異なるゴム及び樹脂等を素材として作製されており、透明タッチパネル２０４の操作面上での滑り度合が互いに異なる３つの領域３００２，３００４，３００６を有している。これら３つのペン先端領域３００２，３００４，３００６は、ペン先端部３０００において回転軸３００８を中心として均等に分割されており、その滑り度合は、第１のペン先端領域３００２、第２のペン先端領域３００４及び第３のペン先端領域３００６の順で段階的に低下するように設定されている。
【０２７４】
本タッチペン１０８には、透明タッチパネル２０４の操作面に対して座標入力を行なうべく、第１〜第３のペン先端領域３００２，３００４，３００６のうち何れのペン先端領域をペン軸４０８の先端から露出させるかを択一的に選択して切換えるための切換機構３０１０が備えられている。
【０２７５】
切換機構３０１０は、ペン軸４０８の一側壁（本実施の形態においては右側壁）を貫通して外側に突出した回転軸３００８の一端部（本実施の形態においては右端部）に結合され、ペン先端部３０００を回転操作するためのノブ３０１２と、ペン軸４０８の先端部開口部においてペン軸４０８の他側壁（本実施の形態において左側壁）に上下方向に沿って一直線状に埋め込まれた３つのマイクロスイッチ３０１４，３０１６，３０１８と、各ペン先端領域３００２，３００４，３００６に形成され、対応するマイクロスイッチ３０１４，３０１６，３０１８と正対したときに当該マイクロスイッチ３０１４，３０１６，３０１８の接触子に係合される凹溝３０２０，３０２２，３０２４とを含む。
【０２７６】
第１のペン先端領域３００２側の凹溝３０２０は、中段の第２のマイクロスイッチ３０１６と正対したときに当該マイクロスイッチ３０１６の接触子と係合するように、第１のペン先端領域３００２の中央部に配置されている。第２のペン先端領域３００４側の凹溝３０２２は、下段の第１のマイクロスイッチ３０１４と正対したときに当該マイクロスイッチ３０１４の接触子と係合するように、第２のペン先端領域３００４の内縁部に配置されている。第３のペン先端領域３００６側の凹溝３０２４は、上段の第３のマイクロスイッチ３０１８と正対したときに当該マイクロスイッチ３０１８と係合するように、第３のペン先端領域３００６の外縁部に配置されている。これら凹溝３０２０，３０２２，３０２４同士は、回転軸３００８を中心として１２０度ずつ位相した位置関係を有している。
【０２７７】
上記構成において、第１のペン先端領域３００２を透明タッチパネル２０４の操作面への座標入力用の面とする場合には、ノブ３０１２によりペン先端部３０００を回転操作して第２のペン先端領域３００４側の凹溝３０２２を第１のマイクロスイッチ３０１４と正対させる。そうすると、第１のマイクロスイッチ３０１４の接触子がペン先端部３０００の押圧力から解放されて第２のペン先端領域３００４側の凹溝３０２２内に突出し、それによって当該マイクロスイッチ３０１４の接触子が当該凹溝３０２２に係合する。その結果、第１のペン先端領域３００２は、ペン軸４０８の先端から露出し、この姿勢が保持される。このとき、第１のマイクロスイッチ３０１４は、ＯＮ状態からＯＦＦ状態に切換わる。
【０２７８】
第２のペン先端領域３００４を透明タッチパネル２０４の操作面への座標入力面とする場合には、ノブ３０１２によりペン先端部３０００を回転操作して第３のペン先端領域３００６側の凹溝３０２４を第３のマイクロスイッチ３０１８に正対させる。そうすると、第３のマイクロスイッチ３０１８の接触子がペン先端部３０００からの押圧力から解放されて第３のペン先端領域３００６側の凹溝３０２４内に突出し、それによって当該マイクロスイッチ３０１８の接触子が当該凹溝３０２４に係合する。その結果、第２のペン先端領域３００４がペン軸４０８の先端から露出し、この姿勢が保持される。このとき、第３のマイクロスイッチ３０１８は、ＯＮ状態からＯＦＦ状態に切換わる。
【０２７９】
第３のペン先端領域３００６を透明タッチパネル２０４の操作面への座標入力面とする場合には、ノブ３０１２によりペン先端部３０００を回転操作して第１のペン先端領域３００２側の凹溝３０２０を第２のマイクロスイッチ３０１６に正対させる。そうすると、第２のマイクロスイッチ３０１６の接触子がペン先端部３０００からの押圧力から解放されて第１のペン先端領域３００２側の凹溝３０２０内に突出し、それによって当該マイクロスイッチ３０１６の接触子が当該凹溝３０２０に係合する。その結果、第２のマイクロスイッチ３０１６は、ＯＮ状態からＯＦＦ状態に切換わる。
【０２８０】
＜ハードウェア構成＞
図５３は表示装置１００のハードウェア構成を示すブロック図である。
【０２８１】
図５３を参照して、第１〜第３のマイクロスイッチ３０１４，３０１６，３０１８の各スイッチング信号は、制御デバイス５０６に与えられ、制御デバイス５０６は、第１〜第３のマイクロスイッチ３０１４，３０１６，３０１８のうち何れのマイクロスイッチがＯＮ状態からＯＦＦ状態に切換わったかに応じて、第１〜第３のペン先端領域３００２，３００４，３００６のうち何れのペン先端領域が座標入力用の面として選択されたかを判断する。
【０２８２】
＜ソフトウェア構成＞
本実施の形態においては、座標入力用の面として、互いに滑り度合が異なる第１〜第３のペン先端領域３００２，３００４，３００６のうち何れのペン先端領域が選択されたかに応じて、オブジェクト画像の表示態様が変更されるようにプログラミングされている。このプログラムは、次に説明する本表示装置１００の各種の機能を実現するためのソフトウェア資源として構成され、装置本体１０４側のＰＣ５００のＲＯＭ及びタッチペン１０８側の制御デバイス５０６のＲＯＭに記憶されている。これらの機能は、上記の装置本体１０４側のＰＣ５００及び実質的にコンピュータからなるタッチペン１０８側の制御デバイス５０６が上記プログラムを実行することによって達成される。
【０２８３】
図５４は本表示装置１００のプログラム構造をフローチャート形式で示す図である。
【０２８４】
図５４を参照して、本表示装置１００では、タッチペン１０８側の制御デバイス５０６は、座標入力用の面として第１〜第３のペン先端領域３００２，３００４，３００６のうち何れのペン先端領域が選択されたかを判断する（ステップＳ８００、Ｓ８０２及びＳ８０４）。第１のマイクロスイッチ３０１４がＯＦＦであってその他のマイクロスイッチ３０１６，３０１８がＯＮである場合には、制御デバイス５０６は、滑り度合が最も高い第１のペン先端領域３００２が座標入力用面として選択されたと判断し（ステップＳ８００においてＹＥＳ）、無線通信デバイス５０８を介して滑り度合データ「ＲＡ」を装置本体１０４側に送信する。第３のマイクロスイッチ３０１８がＯＦＦであってその他のマイクロスイッチ３０１４，３０１６がＯＮである場合には、制御デバイス５０６は、滑り度合が中程度の第２のペン先端領域３００４が選択されたと判断し（ステップＳ８０２においてＹＥＳ）、無線通信デバイス５０８を介して滑り度合データ「ＲＢ」を装置本体１０４側に送信する。第２のマイクロスイッチ３０１６がＯＦＦであってその他のマイクロスイッチ３０１４，３０１８がＯＮである場合には、制御デバイス５０６は、滑り度合が最も低い第３のペン先端領域３００６が選択されたと判断し（ステップＳ８０４においてＹＥＳ）、無線通信デバイス５０８を介して滑り度合データ「ＲＣ」を装置本体１０４側に送信する。
【０２８５】
これに対し、装置本体１０４側のＰＣ５００は、受信した滑り度合データが「ＲＡ」、「ＲＢ」及び「ＲＣ」のうち何れの滑り度合データを受信したかを判断する（ステップＰ４０００、Ｐ４００２及びＰ４００４）。無線通信デバイス５０２を介して受信した滑り度合データが「ＲＡ」である場合には（ステップＰ４０００においてＹＥＳ）、ＰＣ５００は、第１のペン先端領域３００２による透明タッチパネル２０４の操作面に対する座標入力を検出すると、大型ＬＣＤ２０２の表示領域においてその座標入力位置にオブジェクト画像を細く表示する（ステップＰ４００６及びＰ４００８）。無線通信デバイス５０２を介して受信した滑り度合データが「ＲＢ」である場合には、ＰＣ５００は、第２のペン先端領域３００４による透明タッチパネル２０４の操作面に対する座標入力を検出すると、大型ＬＣＤ２０２の表示領域においてその座標入力位置にオブジェクト画像を太く表示する（ステップＰ４０１０及びＰ４０１２）。無線通信デバイス５０２を介して受信した滑り度合データが「ＲＣ」である場合には、ＰＣ５００は、第３のペン先端領域３００６による透明タッチパネル２０４の操作面に対する座標入力を検出すると、大型ＬＣＤ２０２の表示領域においてその座標入力位置にオブジェクト画像を背景色と同じ色で表示する（ステップＰ４０１４及びＰ４０１６）。
【０２８６】
＜動作＞
本表示装置１００では、滑り度合が最も高い第１のペン先端領域が選択され、第１のペン先端領域３００２により透明タッチパネル２０４の操作面上に座標入力がなされると、その座標入力位置に対応する大型ＬＣＤ２０２の表示領域上にオブジェクト画像が細く表示される。滑り度合が中程度の第２のペン先端領域３００４が選択され、第２のペン先端領域３００４により透明タッチパネル２０４の操作面上に座標入力がなされると、その座標入力位置に対応する大型ＬＣＤ２０２の表示領域上にオブジェクト画像が太く表示される。滑り度合が最も低い第３のペン先端領域３００６が選択され、第３のペン先端領域３００６により透明タッチパネル２０４の操作面上に座標入力がなされると、その座標入力位置に対応する大型ＬＣＤ２０２の表示領域上にオブジェクト画像が背景色と同色表示される。
【０２８７】
＜作用・効果＞
本実施の形態によると、特に、以下の作用・効果を奏する。
【０２８８】
（１）細いオブジェクト画像を描くときにはボールペンのような硬く滑りの良い第１のペン先端領域３００２に切換え、太いオブジェクト画像を描くときにフェルトペンのようなやや柔らかく滑りの少ない第２のペン先端領域３００４に切換え、オブジェクト画像を消すときには消しゴムのような最も柔らかく滑りの少ない第３のペン先端領域３００６に切換えることができるので、表示オブジェクト画像及びタッチペンの操作感の両者の更なるマッチングを図ることが可能となる。
【０２８９】
（２）単一のペン先端部３０００に滑り度合の異なる３つのペン先端領域３００２，３００４，３００６が形成され、これらのペン先端領域３００２，３００４，３００６から座標入力に用いるペン先端領域を任意に選択できるので、タッチペンとして複数のペン先端部材を備える必要が無くなる。その結果、ペン先端部３０００の滑り度合を切換えるための切換機構３０１０を小型化できる。
【０２９０】
なお、本発明は上記実施の形態に限定されるものではない。例えば、上記実施の形態においては、透明タッチパネルの座標位置検出の仕方として光学式を用いたものを利用した例について記載した。しかし、本発明はこのような構成には限定されない。座標位置検出の仕方として電子式、静電式及び超音波式等を利用したタッチパネルを利用しても、本発明の目的は十分に達成し得る。また、上記実施の形態においては、タッチペンのペン先端部の滑り度合に関係するデータ通信についてはＢｌｕｅｔｏｏｔｈ通信で行なう例について記載した。しかし、本発明はこのような構成に限定されない。例えば、赤外線通信等の他の無線データ通信により上記の滑り度合データの無線通信を行なうようにしてもよい。その他、本明細書に添付の特許請求の範囲内での種々の設計変更及び修正を加え得ることは勿論である。
【０２９１】
すなわち、本明細書で開示した実施の形態は単に例示であって、本発明が上述した実施の形態のみに限定されるわけではない。本発明の範囲は、本明細書の記載内容を参酌した上で、別紙の特許請求の範囲における請求項によって示され、そこに記載された文言と均等の意味及び範囲内での全ての変更を含む。
【図面の簡単な説明】
【０２９２】
【図１】本発明の第１の実施の形態に係る表示装置の全体構成を示す正面図であって、プレゼンテーションを行なっている状態を示す。
【図２】同表示装置の装置本体の外観構成を示す斜視図である。
【図３】透明タッチパネルの構成を簡略化して示す正面図である。
【図４】タッチペンの初期状態を示す断面図である。
【図５】タッチペンの押込み時の状態を示す断面図である。
【図６】タッチペンの押込み解除時の状態を示す断面図である。
【図７】同表示装置のハードウェア構成を示すブロック図である。
【図８】同表示装置のメインルーチンのプログラム構造をフローチャート形式で示す図である。
【図９】サブルーチンとしてのオブジェクト画像表示処理を実現するためのプログラム構造をフローチャート形式で示す図である。
【図１０】サブルーチンとしてのオブジェクト画像表示処理を実現するためのプログラム構造をフローチャート形式で示す図であって、図９の続きを示す。
【図１１】サブルーチンとしてのオブジェクト画像表示処理を実現するためのプログラム構造をフローチャート形式で示す図であって、図１０の続きを示す。
【図１２】オブジェクト画像の表示サイズの変更態様を示す図である。
【図１３】本発明の第２の実施の形態に係る表示装置のハードウェア構成を示すブロック図である。
【図１４】同表示装置のサブルーチンとしてのオブジェクト画像表示処理を実現するためのプログラム構造をフローチャート形式で示す図である。
【図１５】同表示装置のサブルーチンとしてのオブジェクト画像表示処理を実現するためのプログラム構造をフローチャート形式で示す図であって、図１４の続きを示す。
【図１６】同表示装置のサブルーチンとしてのオブジェクト画像表示処理を実現するためのプログラム構造をフローチャート形式で示す図であって、図１５の続きを示す。
【図１７】オブジェクト画像の表示形状の変更態様を示す図である。
【図１８】本発明の第３の実施の形態に係る表示装置のハードウェア構成を示すブロック図である。
【図１９】同表示装置のサブルーチンとしてのオブジェクト画像表示処理を実現するためのプログラム構造をフローチャート形式で示す図である。
【図２０】同表示装置のサブルーチンとしてのオブジェクト画像表示処理を実現するためのプログラム構造をフローチャート形式で示す図であって、図１９の続きを示す。
【図２１】同表示装置のサブルーチンとしてのオブジェクト画像表示処理を実現するためのプログラム構造をフローチャート形式で示す図であって、図２０の続きを示す。
【図２２】オブジェクト画像の表示濃度の変更態様を示す図である。
【図２３】本発明の第４の実施の形態に係る表示装置のハードウェア構成を示すブロック図である。
【図２４】同表示装置のサブルーチンとしてのオブジェクト画像表示処理を実現するためのプログラム構造をフローチャート形式で示す図である。
【図２５】同表示装置のサブルーチンとしてのオブジェクト画像表示処理を実現するためのプログラム構造をフローチャート形式で示す図であって、図２４の続きを示す。
【図２６】同表示装置のサブルーチンとしてのオブジェクト画像表示処理を実現するためのプログラム構造をフローチャート形式で示す図であって、図２５の続きを示す。
【図２７】オブジェクト画像の表示色の変更態様を示す図である。
【図２８】本発明の第５の実施の形態に係る表示装置に適用されるタッチペンの外観構成を示しており、同図（Ａ）は平面図、同図（Ｂ）は正面図である。
【図２９】図２８（Ａ）のＺ１―Ｚ１線に沿う断面図である。
【図３０】図２８（Ｂ）のＺ２−Ｚ２線に沿う断面図である。
【図３１】同表示装置のハードウェア構成を示すブロック図である。
【図３２】同表示装置のメインルーチンのプログラム構造をフローチャート形式で示す図である。
【図３３】同表示装置のメインルーチンのプログラム構造をフローチャート形式で示す図であって、図３２の続きを示す。
【図３４】同表示装置のメインルーチンのプログラム構造をフローチャート形式で示す図であって、図３３の続きを示す。
【図３５】同表示装置のメインルーチンのプログラム構造をフローチャート形式で示す図であって、図３４の続きを示す。
【図３６】サブルーチンとしての第１のオブジェクト画像表示処理を実現するためのプログラム構造をフローチャート形式で示す図である。
【図３７】サブルーチンとしての第１のオブジェクト画像表示処理を実現するためのプログラム構造をフローチャート形式で示す図であって、図３６の続きを示す。
【図３８】サブルーチンとしての第１のオブジェクト画像表示処理を実現するためのプログラム構造をフローチャート形式で示す図であって、図３７の続きを示す。
【図３９】サブルーチンとしての第２のオブジェクト画像表示処理を実現するためのプログラム構造をフローチャート形式で示す図である。
【図４０】サブルーチンとしての第２のオブジェクト画像表示処理を実現するためのプログラム構造をフローチャート形式で示す図であって、図３９の続きを示す。
【図４１】サブルーチンとしての第２のオブジェクト画像表示処理を実現するためのプログラム構造をフローチャート形式で示す図であって、図４０の続きを示す。
【図４２】サブルーチンとしての第３のオブジェクト画像表示処理を実現するためのプログラム構造をフローチャート形式で示す図である。
【図４３】サブルーチンとしての第３のオブジェクト画像表示処理を実現するためのプログラム構造をフローチャート形式で示す図であって、図４２の続きを示す。
【図４４】サブルーチンとしての第３のオブジェクト画像表示処理を実現するためのプログラム構造をフローチャート形式で示す図であって、図４３の続きを示す。
【図４５】サブルーチンとしての第４のオブジェクト画像表示処理を実現するためのプログラム構造をフローチャート形式で示す図である。
【図４６】サブルーチンとしての第４のオブジェクト画像表示処理を実現するためのプログラム構造をフローチャート形式で示す図であって、図４５の続きを示す。
【図４７】サブルーチンとしての第４のオブジェクト画像表示処理を実現するためのプログラム構造をフローチャート形式で示す図であって、図４６の続きを示す。
【図４８】本発明の第６の実施の形態に係る表示装置に適用されるタッチペンの構成を示す断面図である。
【図４９】同表示装置のハードウェア構成を示すブロック図である。
【図５０】同表示装置のプログラム構造をフローチャート形式で示す図である。
【図５１】本発明の第７の実施の形態に係る表示装置のプログラム構造をフローチャート形式で示す図である。
【図５２】本発明の第８の実施の形態に係る表示装置に適用されるタッチペンの構成を示す図であって、同図（Ａ）は側面図、同図（Ｂ）は同図（Ａ）Ｚ３−Ｚ３線に沿う断面図である。
【図５３】同表示装置のハードウェア構成を示すブロック図である。
【図５４】同表示装置のプログラム構造をフローチャート形式で示す図である。
【符号の説明】
【０２９３】
１００  表示装置
１０４  装置本体
１０８  タッチペン
２０２  ＬＣＤ
２０４  タッチパネル
４００，２０００，２００２，３０００  ペン先端部
４０２，２００４，３０１０  切換機構
４０４  転がり先端
４０６  先端保持部材
４０８  ペン軸
４１０  先端押圧部材
４１２  押圧操作部材
４１４  第１のばね
４１６  押込み量保持部
４１８  横軸
４２０  操作レバー
４２４  係合片
４２６  操作片
４２８，４３０，４３２，４３４，４３６，４３８  被係合溝
４４０  第２のばね
４４２，４４４，４４６，４４８，４５０，４５２  指標
４５４  窓
５００  ＰＣ
５０２  無線通信デバイス
５０６  制御デバイス
５０８  無線通信デバイス
３００２，３００４，３００６  ペン先端領域
【図１】
0004533421.tif 000002
【図２】
0004533421.tif 000003
【図３】
0004533421.tif 000004
【図４】
0004533421.tif 000005
【図５】
0004533421.tif 000006
【図６】
0004533421.tif 000007
【図７】
0004533421.tif 000008
【図８】
0004533421.tif 000009
【図９】
0004533421.tif 000010
【図１０】
0004533421.tif 000011
【図１１】
0004533421.tif 000012
【図１２】
0004533421.tif 000013
【図１３】
0004533421.tif 000014
【図１４】
0004533421.tif 000015
【図１５】
0004533421.tif 000016
【図１６】
0004533421.tif 000017
【図１７】
0004533421.tif 000018
【図１８】
0004533421.tif 000019
【図１９】
0004533421.tif 000020
【図２０】
0004533421.tif 000021
【図２１】
0004533421.tif 000022
【図２２】
0004533421.tif 000023
【図２３】
0004533421.tif 000024
【図２４】
0004533421.tif 000025
【図２５】
0004533421.tif 000026
【図２６】
0004533421.tif 000027
【図２７】
0004533421.tif 000028
【図２８】
0004533421.tif 000029
【図２９】
0004533421.tif 000030
【図３０】
0004533421.tif 000031
【図３１】
0004533421.tif 000032
【図３２】
0004533421.tif 000033
【図３３】
0004533421.tif 000034
【図３４】
0004533421.tif 000035
【図３５】
0004533421.tif 000036
【図３６】
0004533421.tif 000037
【図３７】
0004533421.tif 000038
【図３８】
0004533421.tif 000039
【図３９】
0004533421.tif 000040
【図４０】
0004533421.tif 000041
【図４１】
0004533421.tif 000042
【図４２】
0004533421.tif 000043
【図４３】
0004533421.tif 000044
【図４４】
0004533421.tif 000045
【図４５】
0004533421.tif 000046
【図４６】
0004533421.tif 000047
【図４７】
0004533421.tif 000048
【図４８】
0004533421.tif 000049
【図４９】
0004533421.tif 000050
【図５０】
0004533421.tif 000051
【図５１】
0004533421.tif 000052
【図５２】
0004533421.tif 000053
【図５３】
0004533421.tif 000054
【図５４】
0004533421.tif 000055